(57)【要約】【課題】トップシートから吸収体への向上した経血移行性を有し、トップシートに残存する経血を低減させることができる吸収性物品を提供すること。【解決手段】本発明は、液透過性のトップシートと、液不透過性のバックシートと、該トップシート及び該バックシートの間の吸収体とを有し、圧着部が、吸収性物品の長手方向に延びる線状の形状であり、また、圧着部は、吸収性物品の長手方向に関し、所定間隔をおいて不連続に形成され、かつ、吸収性物品の幅方向に関し、所定間隔をおいて複数列に形成されており、圧着部の下方における吸収体のバックシート対向面に凹部が形成されており、トップシートにおける排泄口当接域と、圧着部とが、それぞれ、４０℃における０．０１〜８０ｍｍ2／ｓの動粘度と、０．０１〜４．０質量％の抱水率と、１，０００未満の重量平均分子量とを有する血液滑性付与剤を含み、かつ、圧着部における血液滑性付与剤の量が、排泄口当接域における該血液滑性付与剤の量よりも多い、吸収性物品である。【選択図】図１
2014068958.tif 000002
【特許請求の範囲】
【請求項１】
液透過性のトップシートと、液不透過性のバックシートと、該トップシート及び該バックシートの間の吸収体とを有し、
該吸収体における該バックシート対向面側から該吸収体に対してエンボス加工が行われ、該バックシート対向面に複数の凹部が形成されて、該吸収体の面方向に亘って疎密構造が形成されていると共に、該吸収体における該トップシート対向面側から該吸収体が該トップシートと共にエンボス加工されて、該トップシート対向面における排泄口対向域の幅方向中央部に、該トップシート及び該吸収体が一体的に圧縮され該トップシートの厚み方向の全体が該吸収体の内部に陥入している複数の圧着部が形成されており、該トップシート対向面の少なくとも該排泄口対抗領域において該吸収体と該トップシートとが密着している吸収性物品であって、
該圧着部は、該吸収性物品の長手方向に延在するものであり、該圧着部は、該吸収性物品の長手方向に関し、所定間隔をおいて不連続に形成され、かつ、該吸収性物品の幅方向に関し、所定間隔をおいて複数列に形成されており、また、該圧着部の下方における該吸収体のバックシート対向面に該凹部が形成されており、さらに、該トップシートにおける排泄口当接域と、該圧着部とが、それぞれ、４０℃における０．０１〜８０ｍｍ２／ｓの動粘度と、０．０１〜４．０質量％の抱水率と、１，０００未満の重量平均分子量とを有する血液滑性付与剤を含み、かつ、該圧着部における該血液滑性付与剤の量が、該排泄口当接域における該血液滑性付与剤の量よりも多い、吸収性物品。
【請求項２】
エンボス部が前記排泄口当接域の周囲に設けられて、該圧搾部が前記血液滑性付与剤を含む、請求項１に記載の吸収性物品。
【請求項３】
前記トップシートが、前記トップシートの肌側面に複数の凸部を有し、かつ、前記トップシートの着衣側面が前記トップシートの該肌側面よりも平坦になっている、請求項１又は２に記載の吸収性物品。
【請求項４】
前記トップシートが、前記トップシートの前記肌側面から前記トップシートの着衣側面に向けて漸次密な構造となっている、請求項３に記載の吸収性物品。
【請求項５】
前記吸収体の前記バックシート対向面に対する前記凹部の面積の総和の割合が、前記トップシート対向面に対する前記圧着部の面積の総和の割合よりも高くなっている、請求項１から４のいずれか１項に記載の吸収性物品。
【請求項６】
前記吸収体の前記バックシート対向面に形成されている前記凹部が、ドット状の凹部である、請求項１から５のいずれか１項に記載の吸収性物品。
【請求項７】
前記長手方向及び／又は前記幅方向に関し、前記吸収体の前記バックシート対向面側に形成されている前記凹部間のピッチよりも、前記トップシート対向面側に形成されている前記圧着部間のピッチの方が大きくなっている、請求項１から６のいずれか１項に記載の吸収性物品。
【請求項８】
前記吸収体の前記バックシート対向面に対する前記凹部の面積の総和の割合が１から５０％であって、前記長手方向における前記凹部間のピッチが３〜１０ｍｍであって、かつ、前記幅方向におけるピッチが３〜１０ｍｍである、請求項１から７のいずれか１項に記載の吸収性物品。
【請求項９】
前記吸収体の前記トップシート対向面に対する前記圧着部の面積の総和の割合が０．０１から２．０％であって、各々の前記圧着部の面積が１〜２０ｍｍ2であって、前記長手方向における圧着部のピッチが５から５０ｍｍであって、かつ、前記幅方向におけるピッチが５〜３０ｍｍである、請求項１から８のいずれか１項に記載の吸収性物品。
【請求項１０】
前記血液滑性付与剤のＩＯＢが、０．００〜０．６０のＩＯＢである、請求項１から９のいずれか１項に記載の吸収性物品。
【請求項１１】
前記血液滑性付与剤が、次の（ｉ）〜（ｉｉｉ）：
（ｉ）炭化水素、
（ｉｉ）  （ｉｉ−１）炭化水素部分と、（ｉｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉｉ）  （ｉｉｉ−１）炭化水素部分と、（ｉｉｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）前記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉｉ）又は（ｉｉｉ）の化合物において、オキシ基が２つ以上挿入されている場合には、各オキシ基は隣接していない、
請求項１から１０のいずれか１項に記載の吸収性物品。
【請求項１２】
前記血液滑性付与剤が、次の（ｉ’）〜（ｉｉｉ’）：
（ｉ’）炭化水素、
（ｉｉ’）  （ｉｉ’−１）炭化水素部分と、（ｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉｉ’）  （ｉｉｉ’−１）炭化水素部分と、（ｉｉｉ’−２）前記炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉｉ’−３）前記炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉｉ’）又は（ｉｉｉ’）の化合物において、２以上の同一又は異なる結合が挿入されている場合には、各結合は隣接していない、
請求項１から１１のいずれか１項に記載の吸収性物品。
【請求項１３】
前記血液滑性付与剤が、次の（Ａ）〜（Ｆ）：
（Ａ）  （Ａ１）鎖状炭化水素部分と、前記鎖状炭化水素部分の水素原子を置換する２〜４個のヒドロキシル基とを有する化合物と、（Ａ２）鎖状炭化水素部分と、前記鎖状炭化水素部分の水素原子を置換する１個のカルボキシル基とを有する化合物とのエステル、
（Ｂ）  （Ｂ１）鎖状炭化水素部分と、前記鎖状炭化水素部分の水素原子を置換する２〜４個のヒドロキシル基とを有する化合物と、（Ｂ２）鎖状炭化水素部分と、前記鎖状炭化水素部分の水素原子を置換する１個のヒドロキシル基とを有する化合物とのエーテル、
（Ｃ）  （Ｃ１）鎖状炭化水素部分と、前記鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、前記鎖状炭化水素部分の水素原子を置換する１個のヒドロキシル基とを有する化合物とのエステル、
（Ｄ）鎖状炭化水素部分と、前記鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物、
（Ｅ）ポリオキシＣ3〜Ｃ6アルキレングリコール、又はそのアルキルエステル若しくはアルキルエーテル、及び
（Ｆ）鎖状炭化水素、
並びにそれらの任意の組み合わせから成る群から選択される、請求項１から１２のいずれか１項に記載の吸収性物品。
【請求項１４】
前記血液滑性付与剤が、（ａ1）鎖状炭化水素テトラオールと少なくとも１の脂肪酸とのエステル、（ａ2）鎖状炭化水素トリオールと少なくとも１の脂肪酸とのエステル、（ａ3）鎖状炭化水素ジオールと少なくとも１の脂肪酸とのエステル、（ｂ1）鎖状炭化水素テトラオールと少なくとも１の脂肪族１価アルコールとのエーテル、（ｂ2）鎖状炭化水素トリオールと少なくとも１の脂肪族１価アルコールとのエーテル、（ｂ3）鎖状炭化水素ジオールと少なくとも１の脂肪族１価アルコールとのエーテル、（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル、（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル、（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル、（ｄ1）脂肪族１価アルコールと脂肪族１価アルコールとのエーテル、（ｄ2）ジアルキルケトン、（ｄ3）脂肪酸と脂肪族１価アルコールとのエステル、（ｄ4）ジアルキルカーボネート、（ｅ1）ポリオキシＣ3〜Ｃ6アルキレングリコール、（ｅ2）ポリオキシＣ3〜Ｃ6アルキレングリコールと少なくとも１の脂肪酸とのエステル、（ｅ3）ポリオキシＣ3〜Ｃ6アルキレングリコールと少なくとも１の脂肪族１価アルコールとのエーテル、及び（ｆ1）鎖状アルカン、並びにそれらの任意の組み合わせから成る群から選択される、請求項１から１３のいずれか１項に記載の吸収性物品。
【発明の詳細な説明】
【技術分野】
【０００１】
本発明は、吸収性物品に関する。
【背景技術】
【０００２】
生理用ナプキン、パンティーライナー等の吸収性物品において、経血等の液状排泄物は、トップシート等の液体透過性層を透過し、吸収体で吸収・保持されるが、経血は、高粘度であるため、液体透過性層に残存しやすい。吸収性物品の液体透過性層に経血が残存すると、着用者にべたつき感、視覚的な不快感等を与えるため、液体透過性層から吸収体への経血移行性を向上させ、液体透過性層に残存する経血を低減させることが求められる。
【０００３】
特に、月経時の経血は、子宮内膜等の成分が含まれることもあって、その粘度が高いが、当該粘度の高い経血を吸収した後であっても、トップシートにべたつき感がなく、サラサラしていること等が好ましい。また、粘度の高い経血は、トップシート上で、塊の状態で残存することが多く、使用者が、視覚的に不快感を覚えることが多く、その観点からも、粘度の高い経血を、トップシート上に残存させないことが好ましい。
【０００４】
当技術分野では、ローション組成物が塗工された吸収性物品が知られている。
例えば、特許文献１には、ポリプロピレングリコール材料を含むローション組成物を、トップシートの内表面（着衣側の面）、バックシートの内表面（身体側の面）、トップシートの内表面及びバックシートの内表面の間の基材等に配置した吸収性物品が開示されている。また、特許文献２には、ポリプロピレングリコール材料を含むローション組成物を、トップシートの外表面（身体側の面）に適用した吸収性物品が開示されている。
【先行技術文献】
【特許文献】
【０００５】
【特許文献１】特表２０１０−５１８９１８号公報
【特許文献２】特表２０１１−５１０８０１号公報
【発明の概要】
【発明が解決しようとする課題】
【０００６】
しかしながら、特許文献１〜２では、トップシートから吸収体への経血移行性を向上させ、トップシートに残存する経血を低減させる設計はなされていない。そこで、本発明は、トップシートから吸収体への向上した経血移行性を有し、トップシートに残存する経血を低減させることができる吸収性物品を提供することを目的とする。
【課題を解決するための手段】
【０００７】
上記課題を解決するために、本発明は、液透過性のトップシートと、液不透過性のバックシートと、そのトップシート及びそのバックシートの間の吸収体とを有し、
その吸収体におけるそのバックシート対向面側からその該吸収体に対してエンボス加工が行われ、そのバックシート対向面に複数の凹部が形成されて、その吸収体の面方向に亘って疎密構造が形成されていると共に、その吸収体における該トップシート対向面側からその吸収体がそのトップシートと共にエンボス加工されて、そのトップシート対向面における排泄口対抗領域の幅方向中央部に、そのトップシート及びその吸収体が一体的に圧縮されそのトップシートの厚み方向の全体が該吸収体の内部に陥入している複数の圧着部が形成されており、そのトップシート対向面の少なくともその排泄口対抗領域においてその吸収体とそのトップシートとが密着している吸収性物品であって、
その圧着部は、その吸収性物品の長手方向に延びる線状の形状であり、また、その圧着部は、その吸収性物品の長手方向に関し、所定間隔をおいて不連続に形成され、かつ、その吸収性物品の幅方向に関し、所定間隔をおいて複数列に形成されており、その圧着部の下方におけるその吸収体のバックシート対向面にその凹部が形成されており、そのトップシートにおける排泄口当接域と、その圧着部とが、それぞれ、４０℃における０．０１〜８０ｍｍ２／ｓの動粘度と、０．０１〜４．０質量％の抱水率と、１，０００未満の重量平均分子量とを有する血液滑性付与剤を含み、かつ、該圧着部における該血液滑性付与剤の量が、該排泄口当接域における該血液滑性付与剤の量よりも多い、吸収性物品を提供する。
【０００８】
本発明の吸収性物品において、着用者から排泄された経血が排泄口当接域に到達すると、トップシートにおける排泄口当接域と圧着部とに存在する血液滑性付与剤とともに滑落し、トップシートを通過して吸収体に移行する。したがって、本発明の吸収性物品は、トップシートから吸収体への向上した経血移行性を有し、トップシートに残存する経血を低減させることができる。このため、トップシートの肌当接面のべたつき感が防止され、サラサラ感が維持される。このような血液滑性付与剤の作用効果は、月経時の経血排出量の変化に関わらず（すなわち、一度に排出される経血が大量であっても少量であっても）発揮される。
【発明の効果】
【０００９】
本発明によれば、トップシートから吸収体への向上した経血移行性を有し、トップシート等に残存する経血を低減させることができる吸収性物品が提供される。
【図面の簡単な説明】
【００１０】
【図１】図１は、本発明の吸収性物品の実施形態の１つである、吸収性物品１（生理用ナプキン）の正面図である。
【図２】図２は、図１に示される吸収性物品１の血液滑性付与剤含有領域７のＸ−Ｘ断面における断面図である。
【図３】図３は、本発明の吸収性物品１（生理用ナプキン）の製造方法を説明するための図である。
【図４】図４は、トップシートがトリＣ２Ｌ油脂肪酸グリセリドを含む生理用ナプキンにおける、トップシートの肌当接面の電子顕微鏡写真である。
【図５】図５は、血液滑性付与剤を含む又は含まない経血の顕微鏡写真である。
【図６】図６は、表面張力の測定方法を説明するための図である。
【図７】図７は、試験例〜の結果を示す写真である。
【発明を実施するための形態】
【００１１】
<定義>
本明細書において用いられる用語のうち、その一部を定義する。
【００１２】
・「排泄口当接域」
本明細書において、トップシートの「排泄口当接域」は、トップシートの中で、着用者の排泄口（小陰唇等）に当接する領域を意味する。上記排泄口当接域は、吸収性物品のサイズ等によってもその位置が異なるが、サイドフラップを有する吸収性物品の場合には、一般的には、吸収性物品の幅方向の中心を通る長手方向線と、両ウィング部の長手方向中心を通る幅方向線との交点とを囲むように連続的又は非連続的に配置されているエンボスにより画定される領域の内側が排泄口当接域である。また、サイフラップを有しない吸収性物品の場合には、一般的には、吸収性物品の幅方向中心部且つ長手方向中心部を囲むように連続的又は非連続的に配置されているエンボスにより画定されるが排泄口当接域である。
【００１３】
なお、本発明による吸収性物品は、トップシートに加えて、トップシートと吸収体との間にセカンドシートを備えてよいが、セカンドシートが、排泄口当接域を有してよい。その場合、セカンドシートの排泄口当接域は、トップシートの排泄口当接域と、吸収性物品の厚さ方向に重複する範囲を意味する。
【００１４】
・「前方」及び「後方」
本明細書では、「前方」及び「後方」は、着用者を基準とし、それぞれ、着用者の前方及び着用者の後方を意味する。
【００１５】
・「肌側面」及び「着衣側面」
液透過性のトップシート、セカンドシート等に関する「肌側面」は、着用時に、着用者の肌側を向く面を意味する。また、同じく「衣服側面」は、着用時に、着用者の着衣側を向く面を意味する。例えば、トップシート及びセカンドシートの着衣側面は、それぞれ、トップシート及びセカンドシートの、バックシート側の面を意味する。また、トップシートの肌側面は、肌当接面と同義である。
【００１６】
・「血液滑性付与剤含有領域」
本明細書において、トップシートに関する「血液滑性付与剤含有領域」は、トップシートが、排泄口当接域において、血液滑性付与剤を含む領域を意味する。トップシートは、排泄口当接域の一部に、血液滑性付与剤含有領域を有してもよく、そして排泄口当接域の全体に血液滑性付与剤含有領域を有してもよい。さらに、トップシートは、排泄口当接域を超えた、排泄口非当接域にも、血液滑性付与剤含有領域を有してもよい。
【００１７】
なお、本明細書ではまた、セカンドシートが、血液滑性付与剤含有領域を有することができる。セカンドシートに関する「血液滑性付与剤含有領域」は、トップシートの場合と同様に、セカンドシートが、排泄口当接域において、血液滑性付与剤を含む領域を意味し、セカンドシートは、排泄口当接域の一部若しくは全部に血液滑性付与剤含有領域を有することができ、そして排泄口非当接域にも、血液滑性付与剤含有領域を有してもよい。
【００１８】
<吸収性物品>
以下、本発明の吸収性物品について詳細に説明する。
【００１９】
本発明による吸収性物品は、液透過性のトップシートと、液不透過性のバックシートと、トップシート及び該バックシートの間の吸収体とを有し、吸収体における該バックシート対向面側から該吸収体に対してエンボス加工が行われ、バックシート対向面に複数の凹部が形成されて、吸収体の面方向に亘って疎密構造が形成されていると共に、吸収体におけるトップシート対向面側から吸収体がトップシートと共にエンボス加工されて、トップシート対向面における排泄口対抗領域の幅方向中央部に、トップシート及び吸収体が一体的に圧縮されトップシートの厚み方向の全体が吸収体の内部に陥入している複数の圧着部が形成されており、トップシート対向面の少なくとも排泄口対抗領域において吸収体とトップシートとが密着している吸収性物品であり、圧着部は、吸収性物品の長手方向に延在するものであり、圧着部は、吸収性物品の長手方向に関し、所定間隔をおいて不連続に形成され、かつ、吸収性物品の幅方向に関し、所定間隔をおいて複数列に形成されており、また、圧着部の下方における吸収体のバックシート対向面に凹部が形成されており、さらに、トップシートにおける排泄口当接域と、圧着部とが、それぞれ、４０℃における０．０１〜８０ｍｍ２／ｓの動粘度と、０．０１〜４．０質量％の抱水率と、１，０００未満の重量平均分子量とを有する血液滑性付与剤を含み、かつ、圧着部における血液滑性付与剤の量が、排泄口当接域における血液滑性付与剤の量よりも多い、吸収性物品である。
【００２０】
本発明による吸収性物品は、圧着部に存在する血液滑性付与剤と吸収性物品の長手方向に伸びる圧着部の形状とにより、排泄口当接域から排出された経血が吸収性物品の幅方向に流れようとする際に経血を圧着部にとどめることなく跳ね返しながら、吸収性物品の長手方向に経血を誘導するので、吸収体を効率よく使いながら経血を吸収できる。また、圧着部では経血が滞留しやすくなるが、血液滑性付与剤があることで、経血をトップシートにとどめることなく、吸収体へ移行させることができる。
【００２１】
本発明による吸収性物品の圧着部は、血液滑性付与剤を、好ましくは１〜３０ｇ／ｍ2、より好ましくは２〜２０ｇ／ｍ2、そしてさらに好ましくは３〜１０ｇ／ｍ2の坪量の範囲で含む。トップシートにおける排泄口当接域は、血液滑性付与剤を、好ましくは０．０１〜２０ｇ／ｍ2、より好ましくは０．１〜１０ｇ／ｍ2の坪量の範囲で含む。ただし、圧着部における血液滑性付与剤の量が、排泄口当接域における血液滑性付与剤の量よりも多いことが必要である。
【００２２】
本発明による吸収性物品の圧着部は、吸収性物品の長手方向に延在するものであれば特に限定されることはないが、例えば直線状、ドット状、点線状、折れ線状、曲線状、多角形状、円形状、矩形状、中抜きの円形や矩形状、多角形状の複数の凹部が実質的に線状に連なった凹部群が挙げられる。圧着部が例えば複数のドット状凹部が実質的に線状に連なった凹部群からなる場合、各ドット状凹部はその面積が０．５〜２．０ｍｍ2、特に１〜１．０ｍｍ2であることが好ましい。ドット状凹部間の距離は５ｍｍ以下、特に３ｍｍ以下であることが、圧着部の延びる方向に液を効果的に誘導し得る点から好ましい。
【００２３】
本発明による吸収性物品の吸収体のバックシート対向面側に形成される凹部の形状は任意の形状でよいが、例えば、多角形形状、ドット状、線状、楕円状、中抜き円状、波線状が挙げられる。そして、それらの形状を任意の二以上の組み合わせからなるパターンとすることもできる。
【００２４】
本発明の吸収性物品において、エンボス部が排泄口当接域の周囲に設けられて、エンボス部が血液滑性付与剤を含むことが好ましい。排泄口当接域周辺にエンボス部を有し、さらに、エンボス部にも血液滑性付与剤が付与されていることで、圧着部を超えて吸収性物品の幅方向へ流れた経血を押し戻しながら、排泄口当接域周辺のエンボス部に沿って経血を拡散させることができるので、更なる横漏れ防止効果を奏する。
【００２５】
本発明の吸収性物品において、トップシートが、トップシートの肌側面に複数の凸部を有し、かつ、トップシートの着衣側面がトップシートの肌側面よりも平坦になっていることが好ましい。
【００２６】
本発明の吸収性物品において、トップシートが、トップシートの肌側面からトップシートの着衣側面に向けて漸次密な構造となっていることが好ましい。
【００２７】
本発明の吸収性物品において、トップシートが、トップシートの肌側面からトップシートの着衣側面に向けて漸次親水性が高くなっていることが好ましい。
【００２８】
本発明の吸収性物品において、トップシートが伸縮性を有していることが好ましい。
【００２９】
本発明の吸収性物品において、吸収体のバックシート対向面に対する凹部の面積の総和の割合が、トップシート対向面に対する圧着部の面積の総和の割合よりも高くなっていることが好ましい。
【００３０】
本発明の吸収性物品において、吸収体のバックシート対向面に形成されている凹部がドット状の凹部であることが好ましい。
【００３１】
本発明の吸収性物品において、長手方向及び／又は幅方向に関し、吸収体のバックシート対向面側に形成されている凹部間のピッチよりも、トップシート対向面側に形成されている圧着部間のピッチの方が大きくなっていることが好ましい。
【００３２】
本発明の吸収性物品において、吸収体の前記バックシート対向面に対する前記凹部の面積の総和の割合が１から５０％であって、前記長手方向における前記凹部間のピッチが３〜１０ｍｍであって、かつ、前記幅方向におけるピッチが３〜１０ｍｍであることが好ましい。
【００３３】
本発明の吸収性物品において、吸収体のトップシート対向面に対する圧着部の面積の総和の割合が０．０１から２．０％であって、各々の圧着部の面積が１〜２０ｍｍ2であって、長手方向における圧着部のピッチが５から５０ｍｍであって、かつ、幅方向におけるピッチが５〜３０ｍｍであることが好ましい。
【００３４】
本発明の吸収性物品において、血液滑性付与剤のＩＯＢが、０．００〜０．６０のＩＯＢであることが好ましい。
【００３５】
本発明の吸収性物品において、血液滑性付与剤が、次の（ｉ）〜（ｉｉｉ）：
（ｉ）炭化水素、
（ｉｉ）  （ｉｉ−１）炭化水素部分と、（ｉｉ−２）前記炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉｉ）  （ｉｉｉ−１）炭化水素部分と、（ｉｉｉ−２）炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉｉ）又は（ｉｉｉ）の化合物において、オキシ基が２つ以上挿入されている場合には、各オキシ基は隣接していないことが好ましい。
【００３６】
本発明の吸収性物品において、血液滑性付与剤が、次の（ｉ’）〜（ｉｉｉ’）：
（ｉ’）炭化水素、
（ｉｉ’）  （ｉｉ’−１）炭化水素部分と、（ｉｉ’−２）炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉｉ’）  （ｉｉｉ’−１）炭化水素部分と、（ｉｉｉ’−２）炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉｉ’−３）炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択され、
ここで、（ｉｉ’）又は（ｉｉｉ’）の化合物において、２以上の同一又は異なる結合が挿入されている場合には、各結合は隣接していないことが好ましい。
【００３７】
本発明の吸収性物品において、血液滑性付与剤が、次の（Ａ）〜（Ｆ）：
（Ａ）  （Ａ１）鎖状炭化水素部分と、鎖状炭化水素部分の水素原子を置換する２〜４個のヒドロキシル基とを有する化合物と、（Ａ２）鎖状炭化水素部分と、鎖状炭化水素部分の水素原子を置換する１個のカルボキシル基とを有する化合物とのエステル、
（Ｂ）  （Ｂ１）鎖状炭化水素部分と、鎖状炭化水素部分の水素原子を置換する２〜４個のヒドロキシル基とを有する化合物と、（Ｂ２）鎖状炭化水素部分と、鎖状炭化水素部分の水素原子を置換する１個のヒドロキシル基とを有する化合物とのエーテル、
（Ｃ）  （Ｃ１）鎖状炭化水素部分と、鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、鎖状炭化水素部分の水素原子を置換する１個のヒドロキシル基とを有する化合物とのエステル、
（Ｄ）鎖状炭化水素部分と、鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物、
（Ｅ）ポリオキシＣ3〜Ｃ6アルキレングリコール、又はそのアルキルエステル若しくはアルキルエーテル、及び
（Ｆ）鎖状炭化水素、
並びにそれらの任意の組み合わせから成る群から選択されることが好ましい。
【００３８】
本発明の吸収性物品において、血液滑性付与剤が、（ａ1）鎖状炭化水素テトラオールと少なくとも１の脂肪酸とのエステル、（ａ2）鎖状炭化水素トリオールと少なくとも１の脂肪酸とのエステル、（ａ3）鎖状炭化水素ジオールと少なくとも１の脂肪酸とのエステル、（ｂ1）鎖状炭化水素テトラオールと少なくとも１の脂肪族１価アルコールとのエーテル、（ｂ2）鎖状炭化水素トリオールと少なくとも１の脂肪族１価アルコールとのエーテル、（ｂ3）鎖状炭化水素ジオールと少なくとも１の脂肪族１価アルコールとのエーテル、（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル、（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル、（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル、（ｄ1）脂肪族１価アルコールと脂肪族１価アルコールとのエーテル、（ｄ2）ジアルキルケトン、（ｄ3）脂肪酸と脂肪族１価アルコールとのエステル、（ｄ4）ジアルキルカーボネート、（ｅ1）ポリオキシＣ3〜Ｃ6アルキレングリコール、（ｅ2）ポリオキシＣ3〜Ｃ6アルキレングリコールと少なくとも１の脂肪酸とのエステル、（ｅ3）ポリオキシＣ3〜Ｃ6アルキレングリコールと少なくとも１の脂肪族１価アルコールとのエーテル、及び（ｆ1）鎖状アルカン、並びにそれらの任意の組み合わせから成る群から選択されることが好ましい。
【００３９】
（血液滑性付与剤）
本発明による吸収性物品に含まれる血液滑性付与剤について、以下に説明する。血液滑性付与剤は、４０℃における動粘度が約０．０１〜約８０ｍｍ2／ｓであり、抱水率が約０．０５〜約４．０質量％であり、重量平均分子量が約１，０００未満である。
【００４０】
血液滑性付与剤の４０℃における動粘度は、約０〜約８０ｍｍ2／ｓの範囲において適宜調整することができるが、好ましくは約１〜約７０ｍｍ2／ｓ、さらに好ましくは約３〜約６０ｍｍ2／ｓ、さらに一層好ましくは約５〜約５０ｍｍ2／ｓ、さらに一層好ましくは約７〜約４５ｍｍ2／ｓである。なお、本明細書では、４０℃における動粘度を、単に「動粘度」と称する場合がある。
【００４１】
動粘度は、ａ）血液滑性付与剤の分子量が大きくなるほど、ｂ）極性基、例えば、カルボニル結合（−ＣＯ−）、エーテル結合（−Ｏ−）、カルボキシル基（−ＣＯＯＨ）、ヒドロキシル基（−ＯＨ）等の比率が高いほど、そしてｃ）ＩＯＢが大きくなるほど、高くなる傾向がある。
【００４２】
４０℃において、約０〜約８０ｍｍ2／ｓの動粘度を有するためには、血液滑性付与剤の融点が４５℃以下であることが好ましい。血液滑性付与剤が４０℃で結晶を含むと、その動粘度が高くなる傾向があるからである。
【００４３】
血液滑性付与剤における動粘度の意義については後述するが、動粘度が約８０ｍｍ2／ｓを超えると、血液滑性付与剤の粘性が高く、トップシートの肌当接面に到達した経血と共に、凸部から凹部に滑落し、次いで吸収体内部に移行することが難しくなる傾向がある。
【００４４】
動粘度は、ＪＩＳ  Ｋ  ２２８３：２０００の「５．動粘度試験方法」に従って、キャノンフェンスケ逆流形粘度計を用いて、４０℃の試験温度で測定されることができる。
【００４５】
血液滑性付与剤の抱水率は、約０．０１〜約４．０質量％の範囲で適宜調整することができるが、好ましくは約０．０２〜約３．５質量％、さらに好ましくは約０．０３〜約３．０質量％、さらに一層好ましくは約０．０４〜約２．５質量％、さらに一層好ましくは約０．０５〜約２．０質量％である。
【００４６】
本明細書において、「抱水率」は、物質が、保持することができる水の比率(質量）を意味し、以下の通りに測定することができる。
（１）４０℃の恒温室に、２０ｍＬの試験管、ゴム栓、測定すべき物質及び脱イオン水を一昼夜静置する。
（２）恒温室で、試験管に、測定すべき物質５．０ｇと、脱イオン水５．０ｇを投入する。
（３）恒温室で、試験管の口をゴム栓をし、試験管を１回転させ、５分間静置する。
（４）上記恒温室で、測定すべき物質の層（通常は、上層）３．０ｇを、直径９０ｍｍの、質量：Ｗ0（ｇ）のガラス製シャーレに採取する。
（５）上記シャーレを、オーブン内で、１０５℃で３時間加熱し、水分を蒸発させ、シャーレごと、質量：Ｗ1（ｇ）を測定する。
（６）抱水率を、以下の式に従って算出する。
抱水率（質量％）＝１００×［Ｗ0（ｇ）−Ｗ1（ｇ）］／３．０（ｇ）
測定は３回実施し、平均値を採用する。
【００４７】
血液滑性付与剤における抱水率の意義については後述するが、抱水率が低くなると、血液滑性付与剤と、経血との親和性が低下し、トップシートの肌当接面に到達した経血と共に吸収体に移行しにくくなる傾向がある。一方、抱水率が高くなると、界面活性剤のように、経血との親和性が非常に高くなり、トップシートの肌当接面に、吸収した血液が残存し、トップシートの肌当接面が赤く着色しやすくなる傾向がある。
【００４８】
抱水率は、ａ）血液滑性付与剤の分子量が小さくなるほど、そしてｂ）極性基、例えば、カルボニル結合（−ＣＯ−）、エーテル結合（−Ｏ−）、カルボキシル基（−ＣＯＯＨ）、ヒドロキシル基（−ＯＨ）等の比率が高いほど、値が大きくなる傾向がある。血液滑性付与剤が、より親水性を有するからである。また、抱水率は、ＩＯＢが大きくなるほど、すなわち、無機性値が高いほど、そして有機性値が小さいほど、値が大きくなる傾向がある。血液滑性付与剤が、より親水性を有することになるからである。
【００４９】
血液滑性付与剤における動粘度と、抱水率との意義について説明する。
【００５０】
着用者から排泄された経血が排泄口当接域に到達すると、凸部に存在する血液滑性付与剤と接触し、これとともに凹部に滑落し、トップシートを通過して吸収体に移行する。
【００５１】
より詳細には、４０℃において約０．０１〜約８０ｍｍ2／ｓの動粘度を有する血液滑性付与剤は、着用者の体温付近で非常に低粘度であり且つ経血と一定の親和性を有するため、経血とともに、凸部から凹部に滑落し、その滑落の際の勢いを利用して、経血が、トップシートを通過し、吸収体に迅速に移行することができると考えられる。また、凸部に存在する血液滑性付与剤は、約０．０１〜約４．０質量％の抱水率を有するため、経血中の、主に親水性成分（血漿等）と親和性を有しないため、経血をトップシート上に残存させにくいと考えられる。
【００５２】
着用者から排出された経血が大量である場合には、経血そのものの運動エネルギーが大きく、血液滑性付与剤の動粘度の値が比較的高く経血と共に滑落しにくい場合であっても、抱水率の値が比較的高く経血の親水性成分と親和性が高い場合であっても、重量分子量の値が比較的高く経血と共に滑落しにくい場合であっても、そしてトップシートの肌当接面に凹凸構造がない場合であっても、経血は吸収体に移行しやすいと考えられる。
【００５３】
一方、着用者から排出された経血が少量である場合には、経血の運動エネルギーが小さく、トップシートの肌当接面に到達した経血が、その場に留まりやすい傾向がある。従って、血液滑性付与剤が、経血とともに、凸部から凹部に滑落し、そして経血をトップシートの内部に引き込み、次いで吸収体に引き込むことにより、経血を迅速に吸収体に移行させることができる。
【００５４】
血液滑性付与剤は、約１，０００未満の重量平均分子量を有し、そして好ましくは約９００未満の重量平均分子量を有する。重量平均分子量が約１，０００以上であると、血液滑性付与剤そのものにタック性が生じ、着用者に不快感を与える傾向があるからである。また、重量平均分子量が高くなると、血液滑性付与剤の粘度が高くなる傾向があるため、加温により、血液滑性付与剤の粘度を、塗工に適した粘度に下げることが難しくなり、その結果、血液滑性付与剤を、溶媒で希釈しなければならない場合も生じうる。
【００５５】
血液滑性付与剤は、約１００以上の重量平均分子量を有することが好ましく、そして約２００以上の重量平均分子量を有することがより好ましい。重量平均分子量が小さくなると、血液滑性付与剤の蒸気圧が高くなり、保存中に気化し、量の減少、着用時の臭気等の問題が発生する場合があるからである。
【００５６】
なお、本明細書において、「重量平均分子量」は、多分散系の化合物（例えば、逐次重合により製造された化合物、複数の脂肪酸と、複数の脂肪族１価アルコールとから生成されたエステル）と、単一化合物（例えば、１種の脂肪酸と、１種の脂肪族１価アルコールから生成されたエステル）とを含む概念であり、Ｎi個の分子量Ｍiの分子（ｉ＝１、又はｉ＝１，２・・・）からなる系において、次の式：
Ｍw＝ΣＮiＭi2／ΣＮiＭi
により求められるＭwを意味する。
【００５７】
本明細書において、重量平均分子量は、ゲルパーミエーションクロマトグラフィー（ＧＰＣ）により求められる、ポリスチレン換算の値を意味する。
ＧＰＣの測定条件としては、例えば、以下が挙げられる。
機種：（株）日立ハイテクノロジーズ製  高速液体クロマトグラム  Ｌａｃｈｒｏｍ  Ｅｌｉｔｅ
カラム：昭和電工（株）製  ＳＨＯＤＥＸ  ＫＦ−８０１、ＫＦ−８０３及びＫＦ−８０４
溶離液：ＴＨＦ
流量  ：１．０ｍＬ／分
打込み量：１００μＬ
検出：ＲＩ（示差屈折計）
なお、本明細書の実施例に記載される重量平均分子量は、上記条件により測定したものである。
【００５８】
血液滑性付与剤は、約０．００〜約０．６０のＩＯＢを有することができる。
ＩＯＢ（Ｉｎｏｒｇａｎｉｃ  Ｏｒｇａｎｉｃ  Ｂａｌａｎｃｅ）は、親水性及び親油性のバランスを示す指標であり、本明細書では、小田らによる次式：
ＩＯＢ＝無機性値／有機性値
により算出される値を意味する。
【００５９】
無機性値及び有機性値は、藤田穆「有機化合物の予測と有機概念図」化学の領域Ｖｏｌ．１１，Ｎｏ．１０（１９５７）ｐ．７１９−７２５）に記載される有機概念図に基づく。
藤田氏による、主要な基の有機性値及び無機性値を、下記表１にまとめる。
【００６０】
【表１】
2014068958.tif 000003
【００６１】
例えば、炭素数１４のテトラデカン酸と、炭素数１２のドデシルアルコールとのエステルの場合には、有機性値が５２０（ＣＨ2，２０×２６個）、無機性値が６０（−ＣＯＯＲ，６０×１個）となるため、ＩＯＢ＝０．１２となる。
【００６２】
血液滑性付与剤において、ＩＯＢは、約０．００〜約０．６０であることが好ましく、約０．００〜約０．５０であることがより好ましく、約０．００〜約０．４０であることがさらに好ましく、そして約０．００〜約０．３０であることがさらに好ましい。ＩＯＢが上述の範囲にあると、抱水力及び動粘度が、上述の要件を満たしやすくなるからである。
【００６３】
血液滑性付与剤は、４５℃以下の融点を有することが好ましく、４０℃以下の融点を有することがさらに好ましい。血液滑性付与剤が４５℃以下の融点を有することにより、血液滑性付与剤が、上述の範囲の動粘度を有しやすくなるからである。
【００６４】
本明細書において、「融点」は、示差走査熱量分析計において、昇温速度１０℃／分で測定した場合の、固形状から液状に変化する際の吸熱ピークのピークトップ温度を意味する。融点は、例えば、島津製作所社製のＤＳＣ−６０型ＤＳＣ測定装置を用いて測定することができる。
【００６５】
血液滑性付与剤は、約４５℃以下の融点を有すれば、室温（約２５℃）で液体であっても、又は固体であってもよい、すなわち、融点が約２５℃以上でも、又は約２５℃未満でもよく、そして例えば、約−５℃、約−２０℃等の融点を有することができる。
【００６６】
上記血液滑性付与剤は、その融点に下限は存在しないが、その蒸気圧が低いことが好ましい。上記血液滑性付与剤の蒸気圧は、２５℃（１気圧）で約０〜約２００Ｐａであることが好ましく、約０〜約１００Ｐａであることがより好ましく、約０〜約１０Ｐａであることがさらに好ましく、約０〜約１Ｐａであることがさらにいっそう好ましく、そして約０．０〜約０．１Ｐａであることがさらにいっそう好ましい。
【００６７】
本発明の吸収性物品が、人体に接して用いられることを考慮すると、上記蒸気圧は、４０℃（１気圧）で約０〜約７００Ｐａであることが好ましく、約０〜約１００Ｐａであることがより好ましく、約０〜約１０Ｐａであることがさらに好ましく、約０〜約１Ｐａであることがさらにいっそう好ましく、そして約０．０〜約０．１Ｐａであることがさらにいっそう好ましい。上記血液滑性付与剤の蒸気圧が高いと、保存中に気化し、その量の減少、着用時の臭気等の問題が発生する場合があるからである。
【００６８】
また、血液滑性付与剤の融点を、気候、着用時間の長さ等に応じて選択することができる。例えば、平均気温が約１０℃以下の地域では、約１０℃以下の融点を有する血液滑性付与剤を採用することにより、経血が排泄された後、周囲温度によって冷却された場合であっても、血液滑性付与剤が機能しやすいと考えられる。
【００６９】
また、吸収性物品が長時間にわたって使用される場合には、血液滑性付与剤の融点は、約４５℃以下の範囲で高い方が好ましい。汗、着用時の摩擦等の影響を受けにくく、長時間着用した場合であっても、血液滑性付与剤が偏りにくいからである。
【００７０】
当技術分野では、経血の表面張力等を変化させ、経血を迅速に吸収することを目的として、トップシートの肌当接面を、界面活性剤でコーティングすることが行われている。しかし、界面活性剤がコーティングされたトップシートは、経血中の親水性成分（血漿等）と親和性が高く、それらを引き寄せ、むしろ経血をトップシートに残存させるようにはたらく傾向がある。血液滑性付与剤は、従来公知の界面活性剤と異なり、経血と親和性が低く、経血をトップシートに残存させず、迅速に吸収体に移行させることができる。
【００７１】
血液滑性付与剤は、好ましくは、次の（ｉ）〜（ｉｉｉ）、
（ｉ）炭化水素、
（ｉｉ）  （ｉｉ−１）炭化水素部分と、（ｉｉ−２）炭化水素部分のＣ−Ｃ単結合間に挿入された、カルボニル基（−ＣＯ−）及びオキシ基（−Ｏ−）から成る群から選択される、一又は複数の、同一又は異なる基とを有する化合物、及び
（ｉｉｉ）  （ｉｉｉ−１）炭化水素部分と、（ｉｉｉ−２）炭化水素部分のＣ−Ｃ単結合間に挿入された、カルボニル基（−ＣＯ−）及びオキシ基（−Ｏ−）から成る群から選択される、一又は複数の、同一又は異なる基と、（ｉｉｉ−３）炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択される。
【００７２】
本明細書において、「炭化水素」は、炭素と水素とから成る化合物を意味し、鎖状炭化水素、例えば、パラフィン系炭化水素（二重結合及び三重結合を含まない、アルカンとも称される）、オレフィン系炭化水素（二重結合を１つ含む、アルケンとも称される）、アセチレン系炭化水素（三重結合を１つ含む、アルキンとも称される）、及び二重結合及び三重結合から成る群から選択される結合を２つ以上含む炭化水素、並びに環状炭化水素、例えば、芳香族炭化水素、脂環式炭化水素が挙げられる。
【００７３】
炭化水素としては、鎖状炭化水素及び脂環式炭化水素であることが好ましく、鎖状炭化水素であることがより好ましく、パラフィン系炭化水素、オレフィン系炭化水素、及び二重結合を２つ以上含む炭化水素（三重結合を含まない）であることがさらに好ましく、そしてパラフィン系炭化水素であることがさらに好ましい。
鎖状炭化水素には、直鎖状炭化水素及び分岐鎖状炭化水素が含まれる。
【００７４】
上記（ｉｉ）及び（ｉｉｉ）の化合物において、オキシ基（−Ｏ−）が２つ以上挿入されている場合には、各オキシ基（−Ｏ−）は隣接していない。従って、上記（ｉｉ）及び（ｉｉｉ）の化合物には、オキシ基が連続する化合物（いわゆる、過酸化物）は含まれない。
【００７５】
また、上記（ｉｉｉ）の化合物では、炭化水素部分の少なくとも１つの水素原子がカルボキシル基（−ＣＯＯＨ）で置換された化合物よりも、炭化水素部分の少なくとも１つの水素原子が、ヒドロキシル基（−ＯＨ）で置換された化合物の方が好ましい。カルボキシル基は、経血中の金属等と結合し、血液滑性付与剤の抱水率が高くなり、所定の範囲を超える場合があるからである。これは、ＩＯＢの観点からも同様である。表１に示すように、カルボキシル基は、経血中の金属等と結合し、無機性値が１５０から、４００以上へと大幅に上昇するため、カルボキシル基を有する血液滑性付与剤は、使用時にＩＯＢの値が約０．６０を上回る場合がありうる。
【００７６】
血液滑性付与剤は、より好ましくは、次の（ｉ’）〜（ｉｉｉ’）、
（ｉ’）炭化水素、
（ｉｉ’）  （ｉｉ’−１）炭化水素部分と、（ｉｉ’−２）炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合とを有する化合物、及び
（ｉｉｉ’）  （ｉｉｉ’−１）炭化水素部分と、（ｉｉｉ’−２）炭化水素部分のＣ−Ｃ単結合間に挿入された、カルボニル結合（−ＣＯ−）、エステル結合（−ＣＯＯ−）、カーボネート結合（−ＯＣＯＯ−）、及びエーテル結合（−Ｏ−）から成る群から選択される、一又は複数の、同一又は異なる結合と、（ｉｉｉ’−３）炭化水素部分の水素原子を置換する、カルボキシル基（−ＣＯＯＨ）及びヒドロキシル基（−ＯＨ）から成る群から選択される、一又は複数の、同一又は異なる基とを有する化合物、
並びにそれらの任意の組み合わせから成る群から選択される。
【００７７】
上記（ｉｉ’）及び（ｉｉｉ’）の化合物において、２以上の同一又は異なる結合が挿入されている場合、すなわち、カルボニル結合（−ＣＯ−）、エステル結合（−ＣＯＯ−）、カーボネート結合（−ＯＣＯＯ−）及びエーテル結合（−Ｏ−）から選択される２以上の同一又は異なる結合が挿入されている場合には、各結合は隣接しておらず、各結合の間には、少なくとも、炭素原子が１つ介在する。
【００７８】
血液滑性付与剤は、さらに好ましくは、炭化水素部分に、炭素原子１０個当たり、カルボニル結合（−ＣＯ−）を約１．８個以下、エステル結合（−ＣＯＯ−）を２個以下、カーボネート結合（−ＯＣＯＯ−）を約１．５個以下、エーテル結合（−Ｏ−）を約６個以下、カルボキシル基（−ＣＯＯＨ）を約０．８個以下、そして／又はヒドロキシル基（−ＯＨ）を約１．２個以下有することができる。
【００７９】
血液滑性付与剤は、さらに好ましくは、次の（Ａ）〜（Ｆ）、
（Ａ）  （Ａ１）鎖状炭化水素部分と、鎖状炭化水素部分の水素原子を置換する２〜４個のヒドロキシル基とを有する化合物と、（Ａ２）鎖状炭化水素部分と、鎖状炭化水素部分の水素原子を置換する１個のカルボキシル基とを有する化合物とのエステル、
（Ｂ）  （Ｂ１）鎖状炭化水素部分と、鎖状炭化水素部分の水素原子を置換する２〜４個のヒドロキシル基とを有する化合物と、（Ｂ２）鎖状炭化水素部分と、鎖状炭化水素部分の水素原子を置換する１個のヒドロキシル基とを有する化合物とのエーテル、
（Ｃ）  （Ｃ１）鎖状炭化水素部分と、鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、鎖状炭化水素部分の水素原子を置換する１個のヒドロキシル基とを有する化合物とのエステル、
（Ｄ）鎖状炭化水素部分と、鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物、
（Ｅ）ポリオキシＣ3〜Ｃ6アルキレングリコール、又はそのアルキルエステル若しくはアルキルエーテル、及び
（Ｆ）鎖状炭化水素、
並びにそれらの任意の組み合わせから成る群から選択される。
以下、（Ａ）〜（Ｆ）に従う血液滑性付与剤について詳細に説明する。
【００８０】
［（Ａ）  （Ａ１）鎖状炭化水素部分と、鎖状炭化水素部分の水素原子を置換する２〜４個のヒドロキシル基とを有する化合物と、（Ａ２）鎖状炭化水素部分と、鎖状炭化水素部分の水素原子を置換する１個のカルボキシル基とを有する化合物とのエステル］
（Ａ）（Ａ１）鎖状炭化水素部分と、鎖状炭化水素部分の水素原子を置換する２〜４個のヒドロキシル基とを有する化合物と、（Ａ２）鎖状炭化水素部分と、鎖状炭化水素部分の水素原子を置換する１個のカルボキシル基とを有する化合物とのエステル（以下、「化合物（Ａ）」と称する場合がある）は、上述の動粘度、抱水率及び重量平均分子量を有する限り、全てのヒドロキシル基がエステル化されていなくともよい。
【００８１】
（Ａ１）鎖状炭化水素部分と、鎖状炭化水素部分の水素原子を置換する２〜４個のヒドロキシル基とを有する化合物（以下、「化合物（Ａ１）」と称する場合がある）としては、例えば、鎖状炭化水素テトラオール、例えば、アルカンテトラオール、例えば、ペンタエリトリトール、鎖状炭化水素トリオール、例えば、アルカントリオール、例えば、グリセリン、及び鎖状炭化水素ジオール、例えば、アルカンジオール、例えば、グリコールが挙げられる。
【００８２】
（Ａ２）鎖状炭化水素部分と、鎖状炭化水素部分の水素原子を置換する１個のカルボキシル基とを有する化合物としては、例えば、炭化水素上の１つの水素原子が、１つのカルボキシル基（−ＣＯＯＨ）で置換された化合物、例えば、脂肪酸が挙げられる。
化合物（Ａ）としては、例えば、（ａ1）鎖状炭化水素テトラオールと少なくとも１の脂肪酸とのエステル、（ａ2）鎖状炭化水素トリオールと少なくとも１の脂肪酸とのエステル、及び（ａ3）鎖状炭化水素ジオールと少なくとも１の脂肪酸とのエステルが挙げられる。
【００８３】
［（ａ1）鎖状炭化水素テトラオールと少なくとも１の脂肪酸とのエステル］
鎖状炭化水素テトラオールと少なくとも１の脂肪酸とのエステルとしては、例えば、次の式（１）：
【化１】
2014068958.tif 000004
のペンタエリトリトールと脂肪酸とのテトラエステル、次の式（２）：
【化２】
2014068958.tif 000005
のペンタエリトリトールと脂肪酸とのトリエステル、次の式（３）：
【化３】
2014068958.tif 000006
のペンタエリトリトールと脂肪酸とのジエステル、次の式（４）：
【化４】
2014068958.tif 000007
のペンタエリトリトールと脂肪酸とのモノエステルが挙げられる。
（式中、Ｒ1〜Ｒ4は、それぞれ、鎖状炭化水素である）
【００８４】
ペンタエリトリトールと脂肪酸とのエステルを構成する脂肪酸（Ｒ1ＣＯＯＨ、Ｒ2ＣＯＯＨ，Ｒ3ＣＯＯＨ，及びＲ4ＣＯＯＨ）としては、ペンタエリトリトールと脂肪酸とのエステルが、動粘度、抱水率及び重量平均分子量の要件を満たすものであれば、特に制限されないが、例えば、飽和脂肪酸、例えば、Ｃ2〜Ｃ30の飽和脂肪酸、例えば、酢酸（Ｃ2）（Ｃ2は、炭素数を示し、Ｒ1Ｃ、Ｒ2Ｃ，Ｒ3Ｃ又はＲ4Ｃの炭素数に相当する、以下同じ）、プロパン酸（Ｃ3）、ブタン酸（Ｃ4）及びその異性体、例えば、２−メチルプロパン酸（Ｃ4）、ペンタン酸（Ｃ5）及びその異性体、例えば、２−メチルブタン酸（Ｃ5）、２，２−ジメチルプロパン酸（Ｃ5）、ヘキサン酸（Ｃ6）、ヘプタン酸（Ｃ7）、オクタン酸（Ｃ8）及びその異性体、例えば、２−エチルヘキサン酸（Ｃ8）、ノナン酸（Ｃ9）、デカン酸（Ｃ10）、ドデカン酸（Ｃ12）、テトラデカン酸（Ｃ14）、ヘキサデカン酸（Ｃ16）、ヘプタデカン酸（Ｃ17）、オクタデカン酸（Ｃ18）、エイコサン酸（Ｃ20）、ドコサン酸（Ｃ22）、テトラコサン酸（Ｃ24）、ヘキサコサン酸（Ｃ26）、オクタコサン酸（Ｃ28）、トリアコンタン酸（Ｃ30）等、並びに列挙されていないこれらの異性体が挙げられる。
【００８５】
脂肪酸はまた、不飽和脂肪酸であることができる。不飽和脂肪酸としては、例えば、Ｃ3〜Ｃ20の不飽和脂肪酸、例えば、モノ不飽和脂肪酸、例えば、クロトン酸（Ｃ4）、ミリストレイン酸（Ｃ14）、パルミトレイン酸（Ｃ16）、オレイン酸（Ｃ18）、エライジン酸（Ｃ18）、バクセン酸（Ｃ18）、ガドレイン酸（Ｃ20）、エイコセン酸（Ｃ20）等、ジ不飽和脂肪酸、例えば、リノール酸（Ｃ18）、エイコサジエン酸（Ｃ20）等、トリ不飽和脂肪酸、例えば、リノレン酸、例えば、α-リノレン酸（Ｃ18）及びγ-リノレン酸（Ｃ18）、ピノレン酸（Ｃ18）、エレオステアリン酸、例えば、α-エレオステアリン酸（Ｃ18）及びβ-エレオステアリン酸（Ｃ18）、ミード酸（Ｃ20）、ジホモ-γ-リノレン酸（Ｃ20）、エイコサトリエン酸（Ｃ20）等、テトラ不飽和脂肪酸、例えば、ステアリドン酸（Ｃ20）、アラキドン酸（Ｃ20）、エイコサテトラエン酸（Ｃ20）等、ペンタ不飽和脂肪酸、例えば、ボセオペンタエン酸（Ｃ18）、エイコサペンタエン酸（Ｃ20）等、並びにこれらの部分水素付加物が挙げられる。
【００８６】
ペンタエリトリトールと脂肪酸とのエステルとしては、酸化等により変性する可能性を考慮すると、飽和脂肪酸に由来する、ペンタエリトリトールと脂肪酸とのエステル、すなわち、ペンタエリトリトールと飽和脂肪酸とのエステルであることが好ましい。
また、ペンタエリトリトールと脂肪酸とのエステルとしては、抱水率の値を小さくする観点から、ジエステル、トリエステル又はテトラエステルであることが好ましく、トリエステル又はテトラエステルであることがより好ましく、そしてテトラエステルであることがさらに好ましい。
【００８７】
ＩＯＢを約０．００〜約０．６０とする観点から考察すると、ペンタエリトリトールと脂肪酸とのテトラエステルでは、ペンタエリトリトールと脂肪酸とのテトラエステルを構成する脂肪酸の炭素数の合計、すなわち、上記式（１）において、Ｒ1Ｃ、Ｒ2Ｃ、Ｒ3Ｃ及びＲ4Ｃ部分の炭素数の合計が、約１５であることが好ましい（炭素数の合計が１５の場合に、ＩＯＢが０．６０となる）。
【００８８】
ペンタエリトリトールと脂肪酸とのテトラエステルでは、例えば、ペンタエリトリトールと、ヘキサン酸（Ｃ6）、ヘプタン酸（Ｃ7）、オクタン酸（Ｃ8）、例えば、２−エチルヘキサン酸（Ｃ8）、ノナン酸（Ｃ9）、デカン酸（Ｃ10）及び／又はドデカン酸（Ｃ12）とのテトラエステルが挙げられる。
【００８９】
ＩＯＢを約０．００〜約０．６０とする観点から考察すると、ペンタエリトリトールと脂肪酸とのトリエステルでは、ペンタエリトリトールと脂肪酸とのトリエステルを構成する脂肪酸の炭素数の合計、すなわち、上記式（２）において、Ｒ1Ｃ、Ｒ2Ｃ及びＲ3Ｃ部分の炭素数の合計が、約１９以上であることが好ましい（炭素数の合計が１９の場合に、ＩＯＢが０．５８となる）。
【００９０】
ＩＯＢを約０．００〜約０．６０とする観点から考察すると、ペンタエリトリトールと脂肪酸とのジエステルでは、ペンタエリトリトールと脂肪酸とのジエステルを構成する脂肪酸の炭素数の合計、すなわち、上記式（３）において、Ｒ1Ｃ及びＲ2Ｃ部分の炭素数の合計が、約２２以上であることが好ましい（炭素数の合計が２２の場合に、ＩＯＢが０．５９となる）。
【００９１】
ＩＯＢを約０．００〜約０．６０とする観点から考察すると、ペンタエリトリトールと脂肪酸とのモノエステルでは、ペンタエリトリトールと脂肪酸とのモノエステルを構成する脂肪酸の炭素数、すなわち、上記式（４）において、Ｒ1Ｃ部分の炭素数が、約２５以上であることが好ましい（炭素数が２５の場合に、ＩＯＢが０．６０となる）。
なお、ＩＯＢの計算に当たっては、二重結合、三重結合、ｉｓｏ分岐、及びｔｅｒｔ分岐の影響は、考慮していない（以下、同様である）。
【００９２】
ペンタエリトリトールと脂肪酸とのエステルの市販品としては、ユニスター  Ｈ−４０８ＢＲＳ、Ｈ−２４０８ＢＲＳ−２２（混合品）等（以上、日油株式会社製）が挙げられる。
【００９３】
［（ａ2）鎖状炭化水素トリオールと少なくとも１の脂肪酸とのエステル］
鎖状炭化水素トリオールと少なくとも１の脂肪酸とのエステルとしては、例えば、次の式（５）：
【化５】
2014068958.tif 000008
のグリセリンと脂肪酸とのトリエステル、次の式（６）：
【化６】
2014068958.tif 000009
のグリセリンと脂肪酸とのジエステル、及び次の式（７）：
【化７】
2014068958.tif 000010
（式中、Ｒ5〜Ｒ7は、それぞれ、鎖状炭化水素である）
のグリセリンと脂肪酸とのモノエステルが挙げられる。
【００９４】
グリセリンと脂肪酸とのエステルを構成する脂肪酸（Ｒ5ＣＯＯＨ、Ｒ6ＣＯＯＨ及びＲ7ＣＯＯＨ）としては、グリセリンと脂肪酸とのエステルが、動粘度、抱水率及び重量平均分子量の要件を満たすものであれば、特に制限されず、例えば、「（ａ1）鎖状炭化水素テトラオールと少なくとも１の脂肪酸とのエステル」において列挙される脂肪酸、すなわち、飽和脂肪酸及び不飽和脂肪酸が挙げられ、酸化等により変性する可能性を考慮すると、飽和脂肪酸に由来する、グリセリンと脂肪酸とのエステル、すなわち、グリセリンと飽和脂肪酸とのエステルであることが好ましい。
【００９５】
また、グリセリンと脂肪酸とのエステルとしては、抱水率の値を小さくする観点から、ジエステル又はトリエステルであることが好ましく、そしてトリエステルであることがより好ましい。
【００９６】
グリセリンと脂肪酸とのトリエステルは、トリグリセリドとも称され、例えば、グリセリンとオクタン酸（Ｃ8）とのトリエステル、グリセリンとデカン酸（Ｃ10）とのトリエステル、グリセリンとドデカン酸（Ｃ12）とのトリエステル、及びグリセリンと、２種又は３種の脂肪酸とのトリエステル、並びにこれらの混合物が挙げられる。
【００９７】
グリセリンと、２種以上の脂肪酸とのトリエステルとしては、例えば、グリセリンと、オクタン酸（Ｃ8）及びデカン酸（Ｃ10）とのトリエステル、グリセリンと、オクタン酸（Ｃ8）、デカン酸（Ｃ10）及びドデカン酸（Ｃ12）とのトリエステル、グリセリンと、オクタン酸（Ｃ8）、デカン酸（Ｃ10）、ドデカン酸（Ｃ12）、テトラデカン酸（Ｃ14）、ヘキサデカン酸（Ｃ16）及びオクタデカン酸（Ｃ18）とのトリエステル等が挙げられる。
【００９８】
融点を約４５℃以下とする観点から考察すると、グリセリンと脂肪酸とのトリエステルは、グリセリンと脂肪酸とのトリエステルを構成する脂肪酸の炭素数の合計、すなわち、式（５）において、Ｒ5Ｃ、Ｒ6Ｃ及びＲ7Ｃ部分の炭素数の合計が、約４０以下であることが好ましい。
【００９９】
ＩＯＢを約０．００〜約０．６０とする観点から考察すると、グリセリンと脂肪酸とのトリエステルでは、グリセリンと脂肪酸とのトリエステルを構成する脂肪酸の炭素数の合計、すなわち、式（５）において、Ｒ5Ｃ、Ｒ6Ｃ及びＲ7Ｃ部分の炭素数の合計が、約１２以上であることが好ましい（炭素数の合計が１２の場合に、ＩＯＢが０．６０となる）。
グリセリンと脂肪酸とのトリエステルは、いわゆる、脂肪であり、人体を構成しうる成分であるため、安全性の観点から好ましい。
【０１００】
グリセリンと脂肪酸とのトリエステルの市販品としては、トリヤシ油脂肪酸グリセリド、ＮＡ３６、パナセート８００、パナセート８００Ｂ及びパナセート８１０Ｓ、並びにトリＣ２Ｌ油脂肪酸グリセリド及びトリＣＬ油脂肪酸グリセリド（以上、日油株式会社製）等が挙げられる。
【０１０１】
グリセリンと脂肪酸とのジエステルは、ジグリセリドとも称され、例えば、グリセリンとデカン酸（Ｃ10）とのジエステル、グリセリンとドデカン酸（Ｃ12）とのジエステル、グリセリンとヘキサデカン酸（Ｃ16）とのジエステル、及びグリセリンと、２種の脂肪酸とのジエステル、並びにこれらの混合物が挙げられる。
【０１０２】
ＩＯＢを約０．００〜約０．６０とする観点から考察すると、グリセリンと脂肪酸とのジエステルでは、グリセリンと脂肪酸とのジエステルを構成する脂肪酸の炭素数の合計、すなわち、式（６）において、Ｒ5Ｃ及びＲ6Ｃ部分の炭素数の合計が、約１６以上であることが好ましい（炭素数の合計が１６の場合にＩＯＢが０．５８となる）。
【０１０３】
グリセリンと脂肪酸とのモノエステルは、モノグリセリドとも称され、例えば、グリセリンのオクタデカン酸（Ｃ18）モノエステル、グリセリンのドコサン酸（Ｃ22）モノエステル等が挙げられる。
【０１０４】
ＩＯＢを約０．００〜約０．６０とする観点から考察すると、グリセリンと脂肪酸とのモノエステルでは、グリセリンと脂肪酸とのモノエステルを構成する脂肪酸の炭素数、すなわち、式（７）において、Ｒ5Ｃ部分の炭素数が、約１９以上であることが好ましい（炭素数が１９の場合に、ＩＯＢが０．５９となる）。
【０１０５】
［（ａ3）鎖状炭化水素ジオールと少なくとも１の脂肪酸とのエステル］
鎖状炭化水素ジオールと少なくとも１の脂肪酸とのエステルとしては、例えば、Ｃ2〜Ｃ6の鎖状炭化水素ジオール、例えば、Ｃ2〜Ｃ6のグリコール、例えば、エチレングリコール、プロピレングリコール、ブチレングリコール、ペンチレングリコール又はヘキシレングリコールと、脂肪酸とのモノエステル又はジエステルが挙げられる。
【０１０６】
具体的には、鎖状炭化水素ジオールと少なくとも１の脂肪酸とのエステルとしては、例えば、次の式（８）：
Ｒ8ＣＯＯＣkＨ2kＯＣＯＲ9  （８）
（式中、ｋは、２〜６の整数であり、そしてＲ8及びＲ9は、それぞれ、鎖状炭化水素である）
のＣ2〜Ｃ6グリコールと脂肪酸とのジエステル、及び次の式（９）：
Ｒ8ＣＯＯＣkＨ2kＯＨ  （９）
（式中、ｋは、２〜６の整数であり、そしてＲ8は、鎖状炭化水素である）
のＣ2〜Ｃ6グリコールと脂肪酸とのモノエステルが挙げられる。
【０１０７】
Ｃ2〜Ｃ6グリコールと脂肪酸とのエステルにおいて、エステル化すべき脂肪酸（式（８）及び式（９）において、Ｒ8ＣＯＯＨ及びＲ9ＣＯＯＨに相当する）としては、Ｃ2〜Ｃ6グリコールと脂肪酸とのエステルが、動粘度、抱水率及び重量平均分子量の要件を満たすものであれば、特に制限されず、例えば、「（ａ1）鎖状炭化水素テトラオールと少なくとも１の脂肪酸とのエステル」において列挙されている脂肪酸、すなわち、飽和脂肪酸及び不飽和脂肪酸が挙げられ、酸化等により変性する可能性を考慮すると、飽和脂肪酸が好ましい。
【０１０８】
ＩＯＢを約０．００〜約０．６０とする観点から考察すると、式（８）に示されるブチレングリコール（ｋ＝４）と脂肪酸とのジエステルでは、Ｒ8Ｃ及びＲ9Ｃ部分の炭素数の合計が、約６以上であることが好ましい（炭素数の合計が６の場合に、ＩＯＢが０．６０となる）。
【０１０９】
ＩＯＢを約０．００〜約０．６０とする観点から考察すると、式（９）に示されるエチレングリコール（ｋ＝２）と脂肪酸とのモノエステルでは、Ｒ8Ｃ部分の炭素数が、約１２以上であることが好ましい（炭素数が１２の場合に、ＩＯＢが０．５７となる）。
【０１１０】
Ｃ2〜Ｃ6グリコールと脂肪酸とのエステルとしては、酸化等により変性する可能性を考慮すると、飽和脂肪酸に由来する、Ｃ2〜Ｃ6グリコールと脂肪酸とのエステル、すわなち、Ｃ2〜Ｃ6グリコールと飽和脂肪酸とのエステルであることが好ましい。
【０１１１】
また、Ｃ2〜Ｃ6グリコールと脂肪酸とのエステルとしては、抱水率の値を小さくする観点から、炭素数の大きいグリコールに由来する、グリコールと脂肪酸とのエステル、例えば、ブチレングリコール、ペンチレングリコール又はヘキシレングリコールに由来するグリコールと脂肪酸とのエステルであることが好ましい。
さらに、Ｃ2〜Ｃ6グリコールと脂肪酸とのエステルとしては、抱水率の値を小さくする観点から、ジエステルであることが好ましい。
Ｃ2〜Ｃ6グリコールと脂肪酸とのエステルの市販品としては、例えば、コムポールＢＬ、コムポールＢＳ（以上、日油株式会社製）等が挙げられる。
【０１１２】
［（Ｂ）  （Ｂ１）鎖状炭化水素部分と、鎖状炭化水素部分の水素原子を置換する２〜４個のヒドロキシル基とを有する化合物と、（Ｂ２）鎖状炭化水素部分と、鎖状炭化水素部分の水素原子を置換する１個のヒドロキシル基とを有する化合物とのエーテル］
（Ｂ）  （Ｂ１）鎖状炭化水素部分と、鎖状炭化水素部分の水素原子を置換する２〜４個のヒドロキシル基とを有する化合物と、（Ｂ２）鎖状炭化水素部分と、鎖状炭化水素部分の水素原子を置換する１個のヒドロキシル基とを有する化合物とのエーテル（以下、「化合物（Ｂ）」と称する場合がある）は、上述の動粘度、抱水率及び重量平均分子量を有する限り、全てのヒドロキシル基がエーテル化されていなくともよい。
【０１１３】
（Ｂ１）鎖状炭化水素部分と、鎖状炭化水素部分の水素原子を置換する２〜４個のヒドロキシル基とを有する化合物（以下、「化合物（Ｂ１）」と称する場合がある）としては、「化合物（Ａ）」において化合物（Ａ１）として列挙されるもの、例えば、ペンタエリトリトール、グリセリン、及びグリコールが挙げられる。
【０１１４】
（Ｂ２）鎖状炭化水素部分と、鎖状炭化水素部分の水素原子を置換する１個のヒドロキシル基とを有する化合物（以下、「化合物（Ｂ２）」と称する場合がある）としては、例えば、炭化水素の１個の水素原子が、１個のヒドロキシル基（−ＯＨ）で置換された化合物、例えば、脂肪族１価アルコール、例えば、飽和脂肪族１価アルコール及び不飽和脂肪族１価アルコールが挙げられる。
【０１１５】
飽和脂肪族１価アルコールとしては、例えば、Ｃ1〜Ｃ20の飽和脂肪族１価アルコール、例えば、メチルアルコール（Ｃ1）（Ｃ1は、炭素数を示す、以下同じ）、エチルアルコール（Ｃ2）、プロピルアルコール（Ｃ3）及びその異性体、例えば、イソプロピルアルコール（Ｃ3）、ブチルアルコール（Ｃ4）及びその異性体、例えば、ｓｅｃ−ブチルアルコール（Ｃ4）及びｔｅｒｔ−ブチルアルコール（Ｃ4）、ペンチルアルコール（Ｃ5）、ヘキシルアルコール（Ｃ6）、ヘプチルアルコール（Ｃ7）、オクチルアルコール（Ｃ8）及びその異性体、例えば、２−エチルヘキシルアルコール（Ｃ8）、ノニルアルコール（Ｃ9）、デシルアルコール（Ｃ10）、ドデシルアルコール（Ｃ12）、テトラデシルアルコール（Ｃ14）、ヘキサデシルアルコール（Ｃ16）、へプラデシルアルコール（Ｃ17）、オクタデシルアルコール（Ｃ18）、及びエイコシルアルコール（Ｃ20）、並びに列挙されていないこれらの異性体が挙げられる。
【０１１６】
不飽和脂肪族１価アルコールとしては、飽和脂肪族１価アルコールのＣ−Ｃ単結合の１つを、Ｃ＝Ｃ二重結合で置換したもの、例えば、オレイルアルコールが挙げられ、例えば、新日本理化株式会社から、リカコールシリーズ及びアンジェコオールシリーズの名称で市販されている。
【０１１７】
化合物（Ｂ）としては、例えば、（ｂ1）鎖状炭化水素テトラオールと少なくとも１の脂肪族１価アルコールとのエーテル、例えば、モノエーテル、ジエーテル、トリエーテル及びテトラエーテル、好ましくはジエーテル、トリエーテル及びテトラエーテル、より好ましくはトリエーテル及びテトラエーテル、そしてさらに好ましくはテトラエーテル、（ｂ2）鎖状炭化水素トリオールと少なくとも１の脂肪族１価アルコールとのエーテル、例えば、モノエーテル、ジエーテル及びトリエーテル、好ましくはジエーテル及びトリエーテル、そしてより好ましくはトリエーテル、並びに（ｂ3）鎖状炭化水素ジオールと少なくとも１の脂肪族１価アルコールとのエーテル、例えば、モノエーテル及びジエーテル、そして好ましくはジエーテルが挙げられる。
【０１１８】
鎖状炭化水素テトラオールと少なくとも１の脂肪族１価アルコールとのエーテルとしては、例えば、次の式（１０）〜（１３）：
【化８】
2014068958.tif 000011
（式中、Ｒ10〜Ｒ13は、それぞれ、鎖状炭化水素である。）
の、ペンタエリトリトールと脂肪族１価アルコールとのテトラエーテル、トリエーテル、ジエーテル及びモノエーテルが挙げられる。
【０１１９】
鎖状炭化水素トリオールと少なくとも１の脂肪族１価アルコールとのエーテルとしては、例えば、次の式（１４）〜（１６）：
【化９】
2014068958.tif 000012
（式中、Ｒ14〜Ｒ16は、それぞれ、鎖状炭化水素である。）
の、グリセリンと脂肪族１価アルコールとのトリエーテル、ジエーテル及びモノエーテルが挙げられる。
【０１２０】
鎖状炭化水素ジオールと少なくとも１の脂肪族１価アルコールとのエーテルとしては、次の式（１７）：
Ｒ17ＯＣnＨ2nＯＲ18  （１７）
（式中、ｎは、２〜６の整数であり、そしてＲ17及びＲ18は、それぞれ、鎖状炭化水素である）
のＣ2〜Ｃ6グリコールと脂肪族１価アルコールとのジエーテル、及び次の式（１８）：
Ｒ17ＯＣnＨ2nＯＨ  （１８）
（式中、ｎは、２〜６の整数であり、そしてＲ17は、鎖状炭化水素である）
のＣ2〜Ｃ6グリコールと脂肪族１価アルコールとのモノエーテルが挙げられる。
【０１２１】
ＩＯＢを約０．００〜約０．６０とする観点から考察すると、ペンタエリトリトールと脂肪族１価アルコールとのテトラエーテルでは、ペンタエリトリトールと脂肪族１価アルコールとのテトラエーテルを構成する脂肪族１価アルコールの炭素数の合計、すなわち、上記式（１０）において、Ｒ10、Ｒ11、Ｒ12及びＲ13部分の炭素数の合計が、約４以上であることが好ましい（炭素数の合計が４の場合に、ＩＯＢが０．４４となる）。
【０１２２】
ＩＯＢを約０．００〜約０．６０とする観点から考察すると、ペンタエリトリトールと脂肪族１価アルコールとのトリエーテルでは、ペンタエリトリトールと脂肪族１価アルコールとのトリエーテルを構成する脂肪族１価アルコールの炭素数の合計、すなわち、上記式（１１）において、Ｒ10、Ｒ11及びＲ12部分の炭素数の合計が、約９以上であることが好ましい（炭素数の合計が９の場合に、ＩＯＢが０．５７となる）。
【０１２３】
ＩＯＢを約０．００〜約０．６０とする観点から考察すると、ペンタエリトリトールと脂肪族１価アルコールとのジエーテルでは、ペンタエリトリトールと脂肪族１価アルコールとのジエーテルを構成する脂肪族１価アルコールの炭素数の合計、すなわち、上記式（１２）において、Ｒ10及びＲ11部分の炭素数の合計が、約１５以上であることが好ましい（炭素数の合計が１５の場合に、ＩＯＢが０．６０となる）。
【０１２４】
ＩＯＢを約０．００〜約０．６０とする観点から考察すると、ペンタエリトリトールと脂肪族１価アルコールとのモノエーテルでは、ペンタエリトリトールと脂肪族１価アルコールとのモノエーテルを構成する脂肪族１価アルコールの炭素数、すなわち、上記式（１３）において、Ｒ10部分の炭素数が、約２２以上であることが好ましい（炭素数が２２の場合に、ＩＯＢが０．５９となる）。
【０１２５】
また、ＩＯＢを約０．００〜約０．６０とする観点から考察すると、グリセリンと脂肪族１価アルコールとのトリエーテルでは、グリセリンと脂肪族１価アルコールとのトリエーテルを構成する脂肪族１価アルコールの炭素数の合計、すなわち、式（１４）において、Ｒ14、Ｒ15及びＲ16部分の炭素数の合計が、約３以上であることが好ましい（炭素数の合計が３の場合に、ＩＯＢが０．５０となる）。
【０１２６】
ＩＯＢを約０．００〜約０．６０とする観点から考察すると、グリセリンと脂肪族１価アルコールとのジエーテルでは、グリセリンと脂肪族１価アルコールとのジエーテルを構成する脂肪族１価アルコールの炭素数の合計、すなわち、式（１５）において、Ｒ14及びＲ15部分の炭素数の合計が、約９以上であることが好ましい（炭素数の合計が９の場合に、ＩＯＢが０．５８となる）。
【０１２７】
ＩＯＢを約０．００〜約０．６０とする観点から考察すると、グリセリンと脂肪族１価アルコールとのモノエーテルでは、グリセリンと脂肪族１価アルコールとのモノエーテルを構成する脂肪族１価アルコールの炭素数、すなわち、式（１６）において、Ｒ14部分の炭素数が、約１６以上であることが好ましい（炭素数が１６の場合に、ＩＯＢが０．５８となる）。
【０１２８】
ＩＯＢを約０．００〜約０．６０とする観点から考察すると、式（１７）に示されるブチレングリコール（ｎ＝４）と脂肪族１価アルコールとのジエーテルでは、Ｒ17及びＲ18部分の炭素数の合計が、約２以上であることが好ましい（炭素数の合計が２の場合に、ＩＯＢが０．３３となる）。
また、ＩＯＢを約０．００〜約０．６０とする観点から考察すると、式（１８）に示されるエチレングリコール（ｎ＝２）と脂肪族１価アルコールとのモノエーテルでは、Ｒ17部分の炭素数が、約８以上であることが好ましい（炭素数が８の場合に、ＩＯＢが０．６０となる）。
【０１２９】
化合物（Ｂ）としては、化合物（Ｂ１）と、化合物（Ｂ２）とを、酸触媒の存在下で、脱水縮合することにより生成することができる。
【０１３０】
［（Ｃ）  （Ｃ１）鎖状炭化水素部分と、鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、鎖状炭化水素部分の水素原子を置換する１個のヒドロキシル基とを有する化合物とのエステル］
（Ｃ）  （Ｃ１）鎖状炭化水素部分と、鎖状炭化水素部分の水素原子を置換する、２〜４個のカルボキシル基とを含むカルボン酸、ヒドロキシ酸、アルコキシ酸又はオキソ酸と、（Ｃ２）鎖状炭化水素部分と、鎖状炭化水素部分の水素原子を置換する１個のヒドロキシル基とを有する化合物とのエステル（以下、「化合物（Ｃ）」と称する場合がある）は、上述の動粘度、抱水率及び重量平均分子量を有する限り、全てのカルボキシル基がエステル化されていなくともよい。
【０１３１】
（Ｃ１）鎖状炭化水素部分と、鎖状炭化水素部分の水素原子を置換する、２〜４個のカルボキシル基とを含むカルボン酸、ヒドロキシ酸、アルコキシ酸又はオキソ酸（以下、「化合物（Ｃ１）」と称する場合がある)としては、例えば、２〜４個のカルボキシル基を有する鎖状炭化水素カルボン酸、例えば、鎖状炭化水素ジカルボン酸、例えば、アルカンジカルボン酸、例えば、エタン二酸、プロパン二酸、ブタン二酸、ペンタン二酸、ヘキサン二酸、ヘプタン二酸、オクタン二酸、ノナン二酸及びデカン二酸、鎖状炭化水素トリカルボン酸、例えば、アルカントリカルボン酸、例えば、プロパン三酸、ブタン三酸、ペンタン三酸、ヘキサン三酸、ヘプタン三酸、オクタン三酸、ノナン三酸及びデカン三酸、並びに鎖状炭化水素テトラカルボン酸、例えば、アルカンテトラカルボン酸、例えば、ブタン四酸、ペンタン四酸、ヘキサン四酸、ヘプタン四酸、オクタン四酸、ノナン四酸及びデカン四酸が挙げられる。
【０１３２】
また、化合物（Ｃ１）には、２〜４個のカルボキシル基を有する鎖状炭化水素ヒドロキシ酸、例えば、リンゴ酸、酒石酸、クエン酸、イソクエン酸等、２〜４個のカルボキシル基を有する鎖状炭化水素アルコキシ酸、例えば、Ｏ−アセチルクエン酸、及び２〜４個のカルボキシル基を有する鎖状炭化水素オキソ酸が含まれる。
（Ｃ２）鎖状炭化水素部分と、鎖状炭化水素部分の水素原子を置換する１個のヒドロキシル基とを有する化合物としては、「化合物（Ｂ）」の項で列挙されるもの、例えば、脂肪族１価アルコールが挙げられる。
【０１３３】
化合物（Ｃ）としては、（ｃ1）４個のカルボキシル基を有する鎖状炭化水素テトラカルボン酸、ヒドロキシ酸、アルコキシ酸又はオキソ酸と、少なくとも１の脂肪族１価アルコールとのエステル、例えば、モノエステル、ジエステル、トリエステル及びテトラエステル、好ましくはジエステル、トリエステル及びテトラエステル、より好ましくはトリエステル及びテトラエステル、そしてさらに好ましくはテトラエステル、（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル、例えば、モノエステル、ジエステル及びトリエステル、好ましくはジエステル及びトリエステル、そしてより好ましくはトリエステル、並びに（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル、例えば、モノエステル及びジエステル、好ましくはジエステルが挙げられる。
化合物（Ｃ）の例としては、アジピン酸ジオクチル、Ｏ−アセチルクエン酸トリブチル等が挙げられ、そして市販されている。
【０１３４】
［（Ｄ）鎖状炭化水素部分と、鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物］
（Ｄ）鎖状炭化水素部分と、鎖状炭化水素部分のＣ−Ｃ単結合間に挿入された、エーテル結合（−Ｏ−）、カルボニル結合（−ＣＯ−）、エステル結合（−ＣＯＯ−）、及びカーボネート結合（−ＯＣＯＯ−）から成る群から選択されるいずれか１つの結合とを有する化合物（以下、「化合物（Ｄ）」と称する場合がある）としては、（ｄ1）脂肪族１価アルコールと脂肪族１価アルコールとのエーテル、（ｄ2）ジアルキルケトン、（ｄ3）脂肪酸と脂肪族１価アルコールとのエステル、及び（ｄ4）ジアルキルカーボネートが挙げられる。
【０１３５】
［（ｄ1）脂肪族１価アルコールと脂肪族１価アルコールとのエーテル］
脂肪族１価アルコールと脂肪族１価アルコールとのエーテルとしては、次の式（１９）：
Ｒ19ＯＲ20    （１９）
（式中、Ｒ19及びＲ20は、それぞれ、鎖状炭化水素である）
を有する化合物が挙げられる。
【０１３６】
上記エーテルを構成する脂肪族１価アルコール（式（１９）において、Ｒ19ＯＨ及びＲ20ＯＨに相当する）としては、上記エーテルが、上述の動粘度、抱水率及び重量平均分子量の要件を満たすものであれば、特に制限されず、例えば、「化合物（Ｂ）」の項で列挙される脂肪族１価アルコールが挙げられる。
【０１３７】
［（ｄ2）ジアルキルケトン］
ジアルキルケトンとしては、次の式（２０）：
Ｒ21ＣＯＲ22    （２０）
（式中、Ｒ21及びＲ22は、それぞれ、アルキル基である）
を有する化合物が挙げられる。
ジアルキルケトンは、市販されている他、公知の方法、例えば、第二級アルコールを、クロム酸等で酸化することにより得ることができる。
【０１３８】
［（ｄ3）脂肪酸と脂肪族１価アルコールとのエステル］
脂肪酸と脂肪族１価アルコールとのエステルとしては、例えば、次の式（２１）：
Ｒ23ＣＯＯＲ24  （２１）
（式中、Ｒ23及びＲ24は、それぞれ、鎖状炭化水素である）
を有する化合物が挙げられる。
【０１３９】
エステルを構成する脂肪酸（式（２１）において、Ｒ23ＣＯＯＨに相当する）としては、例えば、「（ａ1）鎖状炭化水素テトラオールと脂肪酸とのエステル」において列挙されている脂肪酸、すなわち、飽和脂肪酸又は不飽和脂肪酸が挙げられ、酸化等により変性する可能性を考慮すると、飽和脂肪酸が好ましい。エステルを構成する脂肪族１価アルコール（式（２１）において、Ｒ24ＯＨに相当する）としては、例えば、「化合物（Ｂ）」の項で列挙される脂肪族１価アルコールが挙げられる。
【０１４０】
脂肪酸と脂肪族１価アルコールとのエステルの例としては、例えば、ドデカン酸（Ｃ12）と、ドデシルアルコール（Ｃ12）とのエステル、テトラデカン酸（Ｃ14）と、ドデシルアルコール（Ｃ12）とのエステル等が挙げられ、脂肪酸と脂肪族１価アルコールとのエステルの市販品としては、例えば、エレクトールＷＥ２０、及びエレクトールＷＥ４０（以上、日油株式会社製）が挙げられる。
【０１４１】
［（ｄ4）ジアルキルカーボネート］
ジアルキルカーボネートとしては、次の式（２２）：
Ｒ25ＯＣ（＝Ｏ）ＯＲ26    （２２）
（式中、Ｒ25及びＲ26は、それぞれ、アルキル基である）
を有する化合物が挙げられる。
ジアルキルカーボネートは、市販されている他、ホスゲンとアルコールとの反応、塩化ギ酸エステルとアルコール又はアルコラートとの反応、及び炭酸銀とヨウ化アルキルとの反応により合成することができる。
【０１４２】
抱水率、蒸気圧等の観点から考察すると、（ｄ1）脂肪族１価アルコールと脂肪族１価アルコールとのエーテル、（ｄ2）ジアルキルケトン、（ｄ3）脂肪酸と脂肪族１価アルコールとのエステル、及び（ｄ4）ジアルキルカーボネートでは、重量平均分子量が約１００以上であることが好ましく、そして約２００以上であることがより好ましい。
なお、（ｄ2）ジアルキルケトンにおいて、炭素数の合計が約８の場合、例えば、５−ノナノンでは、融点は約−５０℃であり、蒸気圧は２０℃で約２３０Ｐａである。
【０１４３】
［（Ｅ）ポリオキシＣ3〜Ｃ6アルキレングリコール、又はそのアルキルエステル若しくはアルキルエーテル］
（Ｅ）ポリオキシＣ3〜Ｃ6アルキレングリコール、又はそのアルキルエステル若しくはアルキルエーテル（以下、化合物（Ｅ）と称する場合がある）としては、（ｅ1）ポリオキシＣ3〜Ｃ6アルキレングリコール、（ｅ2）ポリオキシＣ3〜Ｃ6アルキレングリコールと少なくとも１の脂肪酸とのエステル、（ｅ3）ポリオキシＣ3〜Ｃ6アルキレングリコールと少なくとも１の脂肪族１価アルコールとのエーテルが挙げられる。以下、説明する。
【０１４４】
［（ｅ1）ポリオキシＣ3〜Ｃ6アルキレングリコール］
ポリオキシＣ3〜Ｃ6アルキレングリコールは、ｉ）オキシＣ3〜Ｃ6アルキレン骨格、すなわち、オキシプロピレン骨格、オキシブチレン骨格、オキシペンチレン骨格、及びオキシヘキシレン骨格から成る群から選択されるいずれか１種の骨格を有し且つ両末端にヒドロキシ基を有するホモポリマー、ｉｉ）上記群から選択される２種以上の骨格を有し且つ両末端にヒドロキシ基を有するブロックコポリマー、又はｉｉｉ）上記群から選択される２種以上の骨格を有し且つ両末端にヒドロキシ基を有するランダムコポリマーを意味する。
【０１４５】
ポリオキシＣ3〜Ｃ6アルキレングリコールは、次の式（２３）：
ＨＯ−（ＣmＨ2mＯ）n−Ｈ      （２３）
（式中、ｍは３〜６の整数である）
により表わされる。
【０１４６】
本発明者が確認したところ、ポリプロピレングリコール（式（２３）において、ｍ＝３のホモポリマーに相当する）では、重量平均分子量が約１，０００未満の場合には、抱水率の要件を満たさないことが見いだされた。従って、血液滑性付与剤の範囲に、ポリプロピレングリコールのホモポリマーは含まれず、プロピレングリコールは、他のグリコールとのコポリマー又はランダムポリマーとして、（ｅ1）ポリオキシＣ3〜Ｃ6アルキレングリコールに含まれるべきである。
【０１４７】
なお、本発明者が確認したところ、ポリエチレングリコール（式（２３）において、ｍ＝２のホモポリマーに相当する）では、重量平均分子量が１，０００未満では、動粘度及び抱水率の要件を満たし得ないことが示唆された。
【０１４８】
ＩＯＢを約０．００〜約０．６０とする観点から考察すると、例えば、式（２３）がポリブチレングリコール（ｍ＝４のホモポリマー）である場合には、ｎ≧約７であることが好ましい（ｎ＝７の場合に、ＩＯＢが０．５７となる）。
【０１４９】
ポリＣ3〜Ｃ6アルキレングリコールの市販品としては、例えば、ユニオール（商標）ＰＢ−５００及びＰＢ−７００（以上、日油株式会社製）が挙げられる。
【０１５０】
［（ｅ2）ポリオキシＣ3〜Ｃ6アルキレングリコールと少なくとも１の脂肪酸とのエステル］
ポリオキシＣ3〜Ｃ6アルキレングリコールと少なくとも１の脂肪酸とのエステルとしては、「（ｅ1）ポリオキシＣ3〜Ｃ6アルキレングリコール」の項で説明したポリオキシＣ3〜Ｃ6アルキレングリコールのＯＨ末端の一方又は両方が、脂肪酸によりエステル化されているもの、すなわち、モノエステル及びジエステルが挙げられる。
【０１５１】
ポリオキシＣ3〜Ｃ6アルキレングリコールと少なくとも１の脂肪酸とのエステルにおいて、エステル化すべき脂肪酸としては、例えば、「（ａ1）鎖状炭化水素テトラオールと少なくとも１の脂肪酸とのエステル」において列挙されている脂肪酸、すなわち、飽和脂肪酸又は不飽和脂肪酸が挙げられ、酸化等により変性する可能性を考慮すると、飽和脂肪酸が好ましい。
【０１５２】
［（ｅ3）ポリオキシＣ3〜Ｃ6アルキレングリコールと少なくとも１の脂肪族１価アルコールとのエーテル］
ポリオキシＣ3〜Ｃ6アルキレングリコールと少なくとも１の脂肪族１価アルコールとのエーテルとしては、「（ｅ1）ポリオキシＣ3〜Ｃ6アルキレングリコール」の項で説明したポリオキシＣ3〜Ｃ6アルキレングリコールのＯＨ末端の一方又は両方が、脂肪族１価アルコールによりエーテル化されているもの、すなわち、モノエーテル及びジエーテルが挙げられる。
ポリオキシＣ3〜Ｃ6アルキレングリコールと少なくとも１の脂肪族１価アルコールとのエーテルにおいて、エーテル化すべき脂肪族１価アルコールとしては、例えば、「化合物（Ｂ）」の項で列挙されている脂肪族１価アルコールが挙げられる。
【０１５３】
［（Ｆ）鎖状炭化水素］
鎖状炭化水素としては、例えば、（ｆ1）鎖状アルカン、例えば、直鎖アルカン及び分岐鎖アルカンが挙げられる。直鎖アルカンは、融点が約４５℃以下の場合には、炭素数が約２２以下となり、そして蒸気圧が１気圧及び２５℃で約０．０１Ｐａ以下である場合には、炭素数が約１３以上となる。分岐鎖アルカンは、直鎖アルカンよりも、同一炭素数において融点が低い傾向がある。従って、分岐鎖アルカンは、融点が約４５℃以下の場合でも、炭素数が２２以上のものも含むことができる。炭化水素の市販品としては、例えば、パールリーム６（日油株式会社）が挙げられる。
【０１５４】
本発明の実施形態の１つの吸収性物品では、トップシートが、排泄口当接域において、血液滑性付与剤のみを含む。本発明の別の実施形態の吸収性物品では、トップシートが、排泄口当接域において、血液滑性付与剤と、少なくとも１種の他の成分とを含む血液滑性付与剤含有組成物を含む。以下、血液滑性付与剤含有組成物について説明する。
【０１５５】
［血液滑性付与剤含有組成物］
血液滑性付与剤含有組成物は、上述の血液滑性付与剤と、少なくとも１種の他の成分とを含む。上記少なくとも１種の他の成分としては、本発明の効果を阻害しないものであれば特に制限されず、当業界で吸収性物品、特にトップシートに慣用的に適用されるものが挙げられる。
上記少なくとも１種の他の成分としては、例えば、シリコーンオイル、シリコーン、シリコーン系レジン等が挙げられる。
上記少なくとも１種の他の成分としては、例えば、酸化防止剤、例えば、ＢＨＴ（２，６−ジ−ｔ−ブチル−ｐ−クレゾール）、ＢＨＡ（ブチル化ヒドロキシアニソール）、没食子酸プロピル等が挙げられる。
【０１５６】
上記少なくとも１種の他の成分としては、例えば、ビタミン、例えば、天然ビタミン又は合成ビタミンが挙げられる。上記ビタミンとしては、例えば、水溶性ビタミン、例えば、ビタミンＢ群、例えば、ビタミンＢ1，ビタミンＢ2，ビタミンＢ3，ビタミンＢ5，ビタミンＢ6，ビタミンＢ7，ビタミンＢ9，ビタミンＢ12等、ビタミンＣが挙げられる。
上記ビタミンとしては、例えば、脂溶性ビタミン、例えば、ビタミンＡ群、ビタミンＤ群、ビタミンＥ群、およびビタミンＫ群等が挙げられる。
上記ビタミンにはまた、それらの誘導体も含まれる。
【０１５７】
上記少なくとも１種の他の成分としては、例えば、アミノ酸、例えば、アラニン、アルギニン、リジン、ヒスチジン、プロリン、ヒドロキシプロリン等、並びにペプチドが挙げられる。
【０１５８】
上記少なくとも１種の他の成分としては、例えば、ゼオライト、例えば、天然ゼオライト、例えば、方沸石、菱沸石、輝沸石、ナトロライト、束沸石、及びソモソナイト、並びに、合成ゼオライトが挙げられる。
上記少なくとも１種の他の成分としては、例えば、コレステロール、ヒアルロン酸、レシチン、セラミド等が挙げられる。
【０１５９】
また、上記少なくとも１種の他の成分としては、例えば、薬剤、例えば、皮膚収斂剤、抗ニキビ剤、抗シワ剤、抗セルライト剤、美白剤、抗菌剤、抗カビ剤等が挙げられる。
上記皮膚収斂剤としては、例えば、酸化亜鉛、硫酸アルミニウム、タンニン酸等、油溶性皮膚収斂剤、例えば、油溶性ポリフェノールが挙げられる。上記油溶性ポリフェノールとしては、天然の油溶性ポリフェノール、例えば、オオバクエキス、オトギリソウエキス、オドリコソウエキス、カモミラエキス、ゴボウエキス、サルビアエキス、シナノキエキス、セイヨウボダイジュエキス、シラカバエキス、スギナエキス、セージエキス、サルビアエキス、テウチグルミエキス、ハイビスカスエキス、ビワ葉エキス、ボダイジュエキス、ホップエキス、マロニエエキス、ヨクイニンエキス等が挙げられる。
【０１６０】
上記抗ニキビ剤としては、例えば、サリチル酸、過酸化ベンゾイル、レゾルシノール、イオウ、エリスロマイシン、亜鉛等が挙げられる。
上記抗シワ剤としては、例えば、乳酸、サリチル酸、サリチル酸誘導体、グリコール酸、フィチン酸、リポ酸、リソフォスファチド酸が挙げられる。
【０１６１】
上記抗セルライト剤としては、例えば、キサンチン化合物、例えば、アミノフィリン、カフェイン、テオフィリン、テオブロミン等が挙げられる。
上記美白剤としては、例えば、ナイアシンアミド、コウジ酸、アルブチン、グルコサミン及び誘導体、フィトステロール誘導体、アスコルビン酸及びその誘導体、並びにクワ抽出物及び胎盤抽出物が挙げられる。
【０１６２】
また、上記少なくとも１種の他の成分としては、例えば、抗炎症成分、ｐＨ調整剤、抗菌剤、保湿剤、香料、色素、染料、顔料、植物抽出エキス等が挙げられる。上記抗炎症成分としては、例えば、天然由来の抗炎症剤、例えば、ボタン、オオゴン、オトギリソウ、カモミール、甘草、モモノハ、ヨモギ、シソエキス等、合成抗炎症剤、例えば、アラントイン、グリチルリチン酸ジカリウム等が挙げられる。
上記ｐＨ調整剤としては、皮膚を弱酸性に保つためのもの、例えば、リンゴ酸、コハク酸、クエン酸、酒石酸、乳酸等が挙げられる。
上記顔料としては、例えば、酸化チタンが挙げられる。
【０１６３】
上記血液滑性付与剤含有組成物は、血液滑性付与剤及び少なくとも１種の他の成分を、それぞれ、好ましくは約５０〜約９９質量％及び約１〜約５０質量％、より好ましくは約６０〜約９９質量％及び約１〜約４０質量％、さらに好ましくは約７０〜約９９質量％及び約１〜約３０質量％、さらにいっそう好ましくは約８０〜約９９質量％及び約１〜約２０質量％、さらにいっそう好ましくは約９０〜９９質量％及び約１〜約１０質量％、そしてさらにいっそう好ましくは約９５〜９９質量％及び約１〜約５質量％含む。本発明の効果の観点からである。
【０１６４】
上記血液滑性付与剤含有組成物は、界面活性剤を、トップシート又はセカンドシートの親水化処理に由来する量以下で含むことが好ましい。より具体的には、上記血液滑性付与剤含有組成物は、界面活性剤を、好ましくは約０．０〜約１．０ｇ／ｍ2、より好ましくは約０．０〜約０．８ｇ／ｍ2、さらに好ましくは約０．１〜約０．５ｇ／ｍ2、そしてさらにいっそう好ましくは約０．１〜約０．３ｇ／ｍ2の坪量の範囲で含む。
界面活性剤の量が増えると、経血がトップシートに残存しやすい傾向があるからである。なお、界面活性剤は、抱水率の値を有しない。水と混和するため、測定すべき物質の層が存在しないからである。
【０１６５】
上記血液滑性付与剤含有組成物は、水を、好ましくは約０．０〜約１．０ｇ／ｍ2、より好ましくは約０．０〜約０．８ｇ／ｍ2、さらに好ましくは約０．１〜約０．５ｇ／ｍ2、そしてさらにいっそう好ましくは約０．１〜約０．３ｇ／ｍ2の坪量の範囲で含む。
水は、吸収性物品の吸収性能を低下させるため、少ないことが好ましい。
【０１６６】
上記血液滑性付与剤含有組成物は、血液滑性付与剤と同様に、組成物として、４０℃において、約０〜約８０ｍｍ2／ｓの動粘度を有することが好ましく、約１〜約７０ｍｍ2／ｓの動粘度を有することがより好ましく、約３〜約６０ｍｍ2／ｓの動粘度を有することがさらに好ましく、約５〜約５０ｍｍ2／ｓの動粘度を有することがさらにいっそう好ましく、そして約７〜約４５ｍｍ2／ｓの動粘度を有することがさらにいっそう好ましい。
上記血液滑性付与剤含有組成物の動粘度が約８０ｍｍ2／ｓを超えると、粘性が高く、トップシートの肌当接面に到達した経血と共に、血液滑性付与剤組成物が吸収性物品の内部に滑落することが難しくなる傾向があるからである。
【０１６７】
上記血液滑性付与剤含有組成物が、上記少なくとも１種の他の成分として上記血液滑性付与剤と混和する成分を含む場合には、その他の成分は、好ましくは約１，０００未満の重量平均分子量を有し、そしてより好ましくは約９００未満の重量平均分子量を有する。上記重量平均分子量が約１，０００以上であると、血液滑性付与剤含有組成物そのものにタック性が生じ、着用者に不快感を与える傾向があるからである。また、重量平均分子量が高くなると、血液滑性付与剤含有組成物の粘度が高くなる傾向があるため、加温により、血液滑性付与剤組成物の粘度を、塗布に適した粘度に下げることが難しくなり、その結果、血液滑性付与剤を、溶媒で希釈しなければならない場合も生じうる。
【０１６８】
上記血液滑性付与剤含有組成物は、組成物として、約０．０１〜約４．０質量％の抱水率を有し、約０．０２〜約３．５質量％の抱水率を有することが好ましく、約０．０３〜約３．０質量％の抱水率を有することがより好ましく、約０．０４〜約２．５質量％の抱水率を有することがさらに好ましく、そして約０．０５〜約２．０質量％の抱水率を有することがさらに好ましい。
上記抱水率が低くなると、血液滑性付与剤組成物と、経血との親和性が低下し、トップシートの肌当接面に到達した経血が吸収性物品の内部に滑落しにくくなる傾向がある。
なお、上記血液滑性付与剤含有組成物が固形物を含む場合には、動粘度及び抱水率の測定において、それらを濾過により取り除くことが好ましい。
【０１６９】
本発明の吸収性物品の種類及び用途は特に限定されない。吸収性物品としては、例えば、生理用ナプキン、パンティーライナー等の衛生用品・生理用品が挙げられ、これらはヒトを対象としてもよいし、ペット等のヒト以外の動物を対象としてもよい。吸収性物品が吸収対象とする液体は特に限定されないが、主として、経血等の液状排泄物である。なお、本発明の吸収性物品は、公知のスキンケア組成物、ローション組成物等を含む吸収性物品とは異なり、エモリエント剤、固定化剤等の成分が不要である。
【０１７０】
以下、本発明による吸収性物品の１つである生理用ナプキンを例とし、図面に基づいて、本発明の吸収性物品の実施形態を更に詳細に説明する。なお、本発明の吸収性物品は、本発明の目的及び主旨を逸脱しない範囲内で、図で表される本発明の実施の形態に限定されるものではない。
【０１７１】
図１は、本発明の実施形態の１つに従う吸収性物品１の正面図であり、より具体的には、生理用ナプキンの正面図である。図１は、トップシート２の肌側面から観察した図である。図１に示される吸収性物品１は、液透過性のトップシート２と、液不透過性のバックシート（図示せず）と、トップシート２及びバックシートの間の吸収体３とを有する。図１に示される吸収性物品１では、吸収性物品１の長手方向の両側部に、吸収性物品１を着用者の衣服、例えば、ショーツに固定するための一対のサイドフラップ４を備える。
【０１７２】
なお、図１に示される吸収性物品１では、向かって左側が前方である。また、図１に示される吸収性物品１では、排泄口当接域は、血液滑性付与剤含有領域７内の４つのエンボス６'により画定される領域であり、トップシート２の排泄口当接域の全部が、血液滑性付与剤含有領域７を有する。
【０１７３】
また、図１に示される吸収性物品１は、サイドシート５と、複数のエンボス６とを有するが、本発明の別の実施形態の吸収性物品は、サイドシート及び／又はエンボスを有しなくてもよい。図１に示される吸収性物品では、トップシート２が不織布から形成されているが、本発明の別の実施形態の吸収性物品では、トップシートは、織布又は開孔フィルムから形成されていてもよい。
【０１７４】
図１に示される吸収性物品１では、トップシート２の少なくとも排泄口当接域が、４０℃における０．０１〜８０ｍｍ2／ｓの動粘度と、０．０１〜４．０質量％の抱水率と、１，０００未満の重量平均分子量とを有する血液滑性付与剤を含む血液滑性付与剤含有領域７を有する。
【０１７５】
図１に示される吸収性物品１には、その肌当接面側における排泄口対向域の幅方向中央部Ａにおける複数箇所に圧着部９が形成されている。圧着部９は直線状の形状をしている。圧着部９は、吸収性物品１の長手方向に延在するように形成されている。圧着部９は、吸収性物品１の長手方向に関し、所定間隔をおいて不連続に形成されている。また、吸収性物品１の幅方向に関し、所定間隔をおいて複数列に形成されている。
【０１７６】
図２は、図１に示される吸収性物品１の血液滑性付与剤含有領域７のＸ−Ｘ断面における断面図である。図２に示すように、吸収性物品１においては、トップシート２及び吸収体３が一体的に圧縮されて圧着部９が形成され、吸収体３におけるバックシート対向面側に複数のドット状凹部１０が形成され、トップシート２における排泄口当接域と、圧着部９とが、それぞれ血液滑性付与剤１１を含み、圧着部９における血液滑性付与剤１１の量が、排泄口当接域における血液滑性付与剤の量よりも多い。
【０１７７】
凹部１０は、吸収体３におけるバックシート対向面の少なくとも排泄口対向域に設けることが好ましく、吸収性物品１においてはバックシート対向面の全域に亘って形成されている。凹部１０は、吸収体３におけるバックシート対向面側から吸収体３がエンボス加工されることによって形成されている。しかし、吸収体３は、後述する排泄口対向域を除き、トップシート対向面側からはエンボス加工が施されていない。その結果、吸収体３におけるバックシート対向面は凹凸面となっており、かつ、トップシート対向面は実質的に平坦面になっている。ただし、トップシート対向面は、凹部１０を形成するときのエンボス加工の条件によっては、凹部１０に対応する位置が僅かに窪んでいる場合がある。
【０１７８】
なお、凹部１０を形成するためのエンボス加工は、吸収体３にのみ対して行われている。すなわち、トップシート２やバックシート８と共に吸収体３がエンボス加工されて凹部１０が形成されているのではない。
【０１７９】
さらに、バックシート対向面側から吸収体３がエンボス加工されることによって、吸収体３には、面方向に亘ってその全域に疎密構造が形成されている。具体的には圧縮されている密な部分３ａと、非圧縮状態になっている疎な部分３ｂとからなる疎密構造が形成されている。密な部分３ａは、凹部１０の底部に位置している。
【０１８０】
吸収体３に疎密構造が形成されていることで、吸収体３に二つの機能を付与することができる。一つ目は、密な部分３ａが存在することによる液の拡散性の増大機能である。密な部分３ａでは毛管力が強く働き、液は吸収体３の平面方向へ素早く拡散される。二つ目は、疎な部分３ｂが存在することによる液の透過性の増大機能である。疎な部分３ｂは、液が通過しやすい空間を有していることから、排泄された液は、吸収体３の厚さ方向へ素早く透過する。この二つの機能によって素早い液の透過及び拡散が実現し、吸収体３内で液が平面方向へ十分に拡散し、吸収体全体の吸収能を余すところなく活用できる。その結果、吸収容量を落とさずに、パルプや高吸収性ポリマーの使用量を低減させることができる。このことは、経済的な観点及び環境負荷の軽減の観点から有利である。
【０１８１】
吸収体３に疎密構造が形成されていることで、吸収体３の保形性が高くなり、例えば着用者が激しい動作をしても、吸収体３によれが発生しにくくなるという効果を奏する。
【０１８２】
凹部１０は、その面積が０．５〜１５ｍｍ2、特に１〜１０ｍｍ2であることが、液拡散に対して有効な毛管力を設計でき、かつ、ナプキン全体の曲げに対する剛性が過度に高くならない、つまり着用者に違和感やフィットしない不安感を与えないという点から好ましい。凹部１０は、縦横比が１に近い異方性の低い形状であることが好ましい。例えば円形や、矩形、三角形等の多角形などの形状をとり得る。吸収体３におけるバックシート対向面に対する凹部１０の面積の総和の割合（以下、バックシート対向面側面積率という。）は、１〜５０％、特に２〜３０％であることが、吸収体３に所望の疎密構造を形成し得る点から好ましい。
【０１８３】
凹部１０は、吸収性物品１の長手方向におけるピッチが３〜１０ｍｍ、特に３〜７ｍｍであることが、また、吸収性物品１の幅方向におけるピッチが３〜１０ｍｍ、特に３〜７ｍｍであることが、液拡散に対して有効な毛管力と液透過しやすい空間を兼ね備え、この二つの機能によって素早い液の透過及び拡散が実現し、吸収体全体の吸収能を余すところなく活用できる点から好ましい。
【０１８４】
吸収体３におけるバックシート対向面に凹部１０を設けているため、吸収体３に疎密構造が形成されているとともに、吸収体３におけるトップシート対向面は実質的に平坦面になっている。その結果、吸収体３とトップシート２との密着性が高まり、トップシート２から吸収体３への液の移行が一層素早くなる。この観点から、後述するように、トップシート２の着衣側面（つまり吸収体対向面）が実質的に平坦になっていることが好ましい。
【０１８５】
圧着部９は、トップシート２及び吸収体３が一体的に圧縮されて形成されている。圧着部９は、吸収体３におけるトップシート対向面側から吸収体３がトップシート２と共にエンボス加工されて形成されている。圧着部９においては、トップシート２がエンボスピン（図示せず）により押圧されて、トップシート２の厚み方向の全体が、吸収体３の内部に陥入すると共に、その陥入した部位においてトップシート２が吸収体３に接合固定されている。そのため、トップシート２は、圧着部間において張力のかかった状態で、吸収体３に固定される。この張力が働いていることにより、着用中に身体の動きにより吸収性物品１に変形等が生じても、トップシート２と吸収体３との密着性が良好に維持され、トップシート２上に排泄された液が吸収体３に速やかに移行し吸収される。トップシート２と吸収体３との接合は、これらの構成繊維どうしの熱融着や接着剤による接着によっておこなってもよい。
【０１８６】
圧着部９には、高密度／低密度部を交互に配列させてもよい。こうすることで圧着部９の剛性感が緩和され、フィット性が高まり、また液引き込み力が高まるので有効である。
【０１８７】
さらに、圧着部９が形成された領域の外側に、ほぼ全周囲に亘ってエンボス部６´を形成するか、又はその領域の前後若しくは左右両側に連続的なエンボス部６´を形成することによって、エンボス部６´によって圧着部９が位置決めされるので、トップシート２と吸収体３とが一層よく密着するようになる。その結果、経血の移動が促進され、また液漏れが生じないようになる。かかるエンボス部６´の詳細については後述する。
【０１８８】
圧着部９及び凹部１０それぞれの配列パターンは特に限定されるものではない。図示するように、圧着部９が製品長さ方向に略縦長に配列されることでモレ防止効果が一層高まる。また、図示はしないが、圧着部９が製品幅方向に略縦長に配列されることで製品が湾曲しやすくなり身体に対するフィット性が高まる。凹部１０も吸収体全域に等間隔で規則的に配列されていてもよいし、製品の長さ方向及び幅方向に対して任意に配列させてもよい。
【０１８９】
圧着部９と凹部１０との相対的な配列パターンにも特に制限はないが、特に圧着部９の下方における吸収体３のバックシート対向面に多数の凹部１０が形成されて、吸収体３の面方向に亘った疎密構造が形成されていることが好ましい。これによって吸収体３における液の拡散性が一層促進される。また吸収体における液の透過性も一層促進される。
【０１９０】
後述するように、トップシート２が伸縮性を有していると、トップシート２が伸ばされながら吸収体３と一体化されているため、吸収体３の厚み方向に対してより深い位置にまで接合が生じる。そのため、トップシート２と吸収体３との密着性が一層高まり、トップシート２上に排泄された液が、圧着部を介して吸収体３に一層速やかに移行する。また、圧着部においてトップシート２が吸収体３から離脱しにくいため、身体の動きに対する構造の安定性にも優れている。本実施形態の吸収性物品１によれば、このような作用により、トップシート上の液残りや液流れを防止でき、優れた吸収性能及び漏れ防止性能が発現されると共に湿潤感の低減された快適な装着感を得ることができる。
【０１９１】
以上の理由から、圧着部９は、吸収性物品１における排泄口対向域に形成されていることが必須であるが、それに加えて、圧着部９は排泄口対向域にのみ形成されていることが好ましい。圧着部９を吸収性物品１の全域に形成すると、吸収性物品１の剛性が高くなることに起因して、吸収性物品１のフィットが低下し、また漏れが生じやすくなる。
【０１９２】
図１に示すように、圧着部９は吸収性物品１の長手方向に延びているのが望ましい。これによって排泄された液が圧着部９に沿って誘導されて吸収性物品１の長手方向に流れるようになり、吸収性物品１の側部からの液漏れが防止される。また、吸収性物品１の幅方向の可撓性が損なわれず、フィット性が高められという利点もある。圧着部９の長さは５〜２０ｍｍ、特に５〜１０ｍｍであることが好ましい。
【０１９３】
圧着部９の面積は１〜２０ｍｍ2、特に５〜１０ｍｍ2であることが、トップシート２上に排泄された液が吸収体３に一層速やかに移行し、またトップシート２が吸収体から離間しにくいという点から好ましい。吸収体３におけるトップシート対向面に対する圧着部９の面積の総和の割合（以下、トップシート対向面側面積率という）は、０．０１〜２．０％、特に０．０５〜１．０％という低い値であることが、吸収体３の剛性が過度に高まることを防止する点から好ましい。
【０１９４】
圧着部９は、吸収性物品１の長手方向におけるピッチが５〜５０ｍｍ、特に５〜３０ｍｍであることが、ナプキン全体を湾曲させやすく、それによってナプキンを身体にフィットさせやすい点から好ましい。また、吸収性物品１の幅方向におけるピッチが５〜３０ｍｍ、特に５〜２０ｍｍであることが、トップシート２が吸収体３に対して良好に密着し、排泄された液が吸収体３に一層速やかに移行すると共に、着用者に不快感を与えるような剛性を生じないという点から好ましい。
【０１９５】
本発明の吸収性物品１においては、バックシート対向面側面積率が、トップシート対向面側面積率よりも高くなっている。これによって、液の引き込み性を十分に高くすることができる。この観点から、バックシート対向面側面積率／トップシート対向面側面積率の値は２〜９００、特に１０〜５００であることが好ましい。なおバックシート対向面側面積率及びトップシート対向面側面積率そのものの値については先に述べた通りである。
【０１９６】
面積率と同様の理由により、本発明の吸収性物品１においては、その長手方向及び／又は幅方向に関し、バックシート対向面側に形成されている凹部１０間のピッチよりも、トップシート対向面側に形成されている圧着部９間のピッチの方が大きくなっていることが好ましい。
【０１９７】
図１に示すように、吸収性物品１における排泄口対向域には、圧着部９とは別に、エンボス部６´が形成されている。エンボス部６´は、圧着部９が形成されている排泄口対向域の中央部の両側それぞれに位置しており、かつ、圧着部９を取り囲むように閉じた形状をしている。エンボス部６´は、吸収性物品１の肌当接面側において、トップシート２と吸収体３とが連続的に接合されて形成されている。圧着部９と同様に、エンボス部６´もエンボス加工によって形成されている。
【０１９８】
圧着部９の側部外方にエンボス部６´が形成されていることで、トップシート２は、圧着部間のみならず、圧着部９とエンボス部６´との間でも引き伸ばされながら吸収体３と接合されることになる。その結果、圧着部間のみならず、圧着部９とエンボス部６´との間でも、トップシート２と吸収体３との密着性が向上し、トップシート２上に排泄された液が吸収体３に更に速やかに移行し吸収される。この効果を一層顕著なものとするために、吸収性物品１の製造において、初めにエンボス部６´を形成し、その後に圧着部を形成することが好ましい。この操作によって、トップシート２に効果的に張力が加わりながら、トップシート２と吸収体３とが接合するからである。
【０１９９】
図２に示すように、凹部１０は、吸収体３の何れの位置においても同じ深さで形成されているが、この深さを吸収体３の部位ごとに変えることができる。圧着部９についても同様である。こうすることによって、ナプキンの柔軟性やフィット性を向上させつつ、所望の吸収力が得られるという利点が生じる。
【０２００】
本発明の吸収性物品１におけるトップシート２は、上述のとおり、肌側面に多数の凸部を有していることが好ましい。凸部はトップシート２の肌側面全域に亘り島状に形成されていてよい。トップシート２は不織布等の繊維材料から構成されており、凸部内は繊維で満たされている。多数の凸部が形成されていることで、排泄された液が凸部間の凹部に流れ込みやすくなり、液が迅速にトップシート２の肌側面から除去される。また、トップシート２はその厚さ方向における圧縮回復性が高くなり、良好なクッション感を呈する。さらに、肌との接触面積が低減するので、蒸れが防止されドライ感が一層高くなる。これらの観点から、凸部はその高さが０．３〜５ｍｍ、特に０．５〜３ｍｍであることが好ましい。また、トップシートを平面視したとき、凸部１１はその面積が０．５〜１０ｍｍ2、特に１〜５ｍｍ2であることが好ましい。
【０２０１】
一方、トップシート２の着衣側面は肌側面よりも平坦になっている。具体的には、トップシート２の着衣側面は実質的に平坦になっているか、或いは平坦になっていない場合であっても、トップシート２の肌側面よりは平坦になっている。このことと、吸収体３のトップシート対向面が平坦になっていることによって、トップシート２と吸収体３との密着性が向上する。
【０２０２】
トップシート２と吸収体３との密着性を一層高める観点から、先に述べた通り、トップシート２は伸縮性を有していることが好ましいが、当技術分野で通常用いられているものを、特に制限なく採用することができる。トップシート２に伸縮性を付与するためには、例えばトップシート２の構成繊維として、素材自体が伸縮性を示す弾性繊維や、立体捲縮繊維などの特定の立体構造を有することにより伸縮性を示す繊維を用いればよい。素材自体が伸縮性を示す弾性繊維としては、スチレン−ブタジエン、ブタジエン、イソプレン、ネオプレン等の合成ゴム、天然ゴム等のエラストマー材料を溶融紡糸して得られる繊維や、スパンデックスに代表されるポリウレタンやポリエステル等を組成とする合成繊維が挙げられる。特定の立体構造を有することにより伸縮性を示す繊維としては、螺旋状に捲縮した立体捲縮繊維が特に好ましく用いられる。例えば、熱処理により螺旋状の捲縮を発現した潜在捲縮性繊維が挙げられる。他には、例えば、液体を透過する構造を有するシート状材料、例えば、開孔フィルム、織布、不織布等が挙げられる。上記織布及び不織布を構成する繊維として、天然繊維及び化学繊維が挙げられ、天然繊維としては、例えば、粉砕パルプ、コットン等のセルロースが挙げられ、化学繊維としては、例えば、レーヨン、フィブリルレーヨン等の再生セルロース、アセテート、トリアセテート等の半合成セルロース、熱可塑性疎水性化学繊維、並びに親水化処理を施した熱可塑性疎水性化学繊維が挙げられる。
【０２０３】
熱可塑性疎水性化学繊維としては、例えば、ポリエチレン（ＰＥ）、ポリプロピレン（ＰＰ）、ポリエチレンテレフタレート（ＰＥＴ）等の単繊維、ＰＥ及びＰＰのグラフト重合物からなる繊維が挙げられる。上記不織布の例としては、例えば、エアスルー不織布、スパンボンド不織布、ポイントボンド不織布、スパンレース不織布、ニードルパンチ不織布、メルトブローン不織布、及びこれらの組み合わせ（例えば、ＳＭＳ等）等が挙げられる。
【０２０４】
トップシート２は、その肌側面から着衣側面に向けて漸次密な構造となっていることが好ましい。これによって液の引き込み性が一層高くなり、液が素早く吸収体３にまで移行する。この場合、肌側面から着衣側面に向けて連続的に密な構造になっていてもよく、あるいは段階的に密な構造になっていてもよい。同様の理由により、トップシート２は、その肌側面から着衣側面に向けて漸次親水性が高くなっていることも好ましい。この場合、肌側面から着衣側面に向けて連続的に親水性が高くなっていてもよく、あるいは段階的に親水性が高くなっていてもよい。
【０２０５】
トップシート２の肌側面から着衣側面に向けて漸次密な構造を作るには、例えばトップシート２を２層以上の多層構造となし、下側の層に向かうほど繊維密度の高い層を用いればよい。同様に、トップシート２の肌側面から着衣側面に向けて漸次親水性の高い構造を作るには、例えばトップシート２を２層以上の多層構造となし、下側の層に向かうほど親水度の高い層を用いればよい。親水性に関しては、液を繰り返し吸収しても親水性が低下しづらい特性、即ち安定な耐久親水性を有していることが望ましい。
【０２０６】
本発明の吸収性物品１に好ましく用いられるトップシート２の具体的な例としては、特開２００２−１６５８３０号公報、特開２００２−１８７２２８号公報、特開２００３−１２６１４７号公報、特開２００３−２４７１５５号公報、特開２００３−２５０８３６号公報等に記載のシートが挙げられる。
【０２０７】
吸収体３の第１の例としては、吸収コアが、コアラップで覆われているものが挙げられる。吸収コアの構成要素としては、例えば、親水性繊維、例えば、粉砕パルプ、コットン等のセルロース、レーヨン、フィブリルレーヨン等の再生セルロース、アセテート、トリアセテート等の半合成セルロース、粒子状ポリマー、繊維状ポリマー、熱可塑性疎水性化学繊維、及び親水化処理された熱可塑性疎水性化学繊維、並びにこれらの組み合わせ等が挙げられる。また、上記吸収コアの構成要素として、高吸収性ポリマー、例えば、アクリル酸ナトリウムコポリマー等の粒状物が挙げられる。
【０２０８】
コアラップとしては、液透過性で高分子吸収体が透過しないバリアー性を有する物であれば、特に制限されず、例えば、織布、不織布等が挙げられる。上記織布及び不織布としては、天然繊維、化学繊維、ティッシュ等が挙げられる。
【０２０９】
吸収体３の第２の例としては、吸収シート又はポリマーシートから形成されたものが挙げられ、その厚さは、約０．３〜約５．０ｍｍであることが好ましい。上記吸収シート及びポリマーシートとしては、通常、生理用ナプキン等の吸収性物品に用いられるものであれば特に制限なく用いることができる。
【０２１０】
バックシート８としては、ＰＥ、ＰＰ等を含むフィルム、通気性を有する樹脂フィルム、スパンボンド又はスパンレース等の不織布に通気性を有する樹脂フィルムを接合したもの、ＳＭＳ等の複層不織布等が挙げられる。吸収性物品の柔軟性を考慮すると、例えば、坪量約１５〜約３０ｇ／ｍ2の低密度ポリエチレン（ＬＤＰＥ）フィルムが好ましい。
【０２１１】
サイドシート５しては、液透過性のトップシートと同様の例が挙げられる。サイドフラップ４は、サイドシート５と、液不透過性のバックシート８とから形成されることができ、所望により、補強シート、例えば、紙をそれらの間に有することができる。
【０２１２】
液透過性のトップシート２が不織布又は織布から形成されている場合には、血液滑性付与剤１１又は血液滑性付与剤含有組成物１１は、不織布又は織布の繊維間の空隙を閉塞しないことが好ましく、上記血液滑性付与剤１１又は血液滑性付与剤含有組成物１１は、例えば、不織布又は織布の繊維の表面に、液滴状又は粒子状で付着しているか、あるいは繊維の表面を覆っていることができる。
【０２１３】
一方、液透過性のトップシートが開孔フィルムから形成されている場合には、血液滑性付与剤１１又は血液滑性付与剤含有組成物１１は、開孔フィルムの開孔を閉塞しないことが好ましく、血液滑性付与剤１１又は血液滑性付与剤含有組成物１１は、例えば、開孔フィルムの表面に、液滴状又は粒子状で付着しているか、あるいはフィルムの表面を、開孔を閉塞しないように覆っていることができる。血液滑性付与剤１１又は血液滑性付与剤含有組成物１１が開孔フィルムの開孔を閉塞すると、吸収した液体の吸収体への移行を阻害することがあるからである。
【０２１４】
また、血液滑性付与剤１１又は血液滑性付与剤含有組成物１１は、吸収した経血とともに滑落するために、その表面積が大きいことが好ましく、液滴状又は粒子状で存在する血液滑性付与剤１１又は血液滑性付与剤含有組成物１１は、粒径が小さいことが好ましい。本発明の吸収性物品の別の実施形態では、吸収性物品が、血液滑性付与剤１１又は血液滑性付与剤含有組成物１１を含む吸収体を有する。
【０２１５】
血液滑性付与剤１１又は血液滑性付与剤含有組成物１１が塗布される資材、例えば、トップシートが合成樹脂から形成された不織布又は織布、開孔フィルム等である場合には、これらは、親水化処理されていることが好ましい。上記親水化処理としては、不織布又は織布の繊維の表面、又は開孔フィルムの表面に親水剤をコーティングすること、不織布又は織布、開孔フィルム等の原料である合成樹脂に親水剤を混合すること等が挙げられる。
【０２１６】
血液滑性付与剤１１又は血液滑性付与剤含有組成物１１を塗布する前の資材が親水性を有することにより、トップシート２上に血液滑性付与剤に由来する親油性領域と、親水剤に由来する親水性領域とがまばらに共存することになり、血液滑性付与剤又は血液滑性付与剤含有組成物が滑落性能を発揮し、経血を、吸収体に速やかに移行させやすくなるからである。
【０２１７】
血液滑性付与剤１１又は血液滑性付与剤含有組成物１１は潤滑剤としても作用しうる。したがって、トップシート２が不織布又は織布である場合には、血液滑性付与剤又は血液滑性付与剤含有組成物が、繊維同士の摩擦を低減させ、しなやかさを向上させることができる。また、トップシートが樹脂フィルムの場合には、血液滑性付与剤又は血液滑性付与剤含有組成物がトップシートと肌との摩擦を低減することができる。
【０２１８】
＜吸収性物品の製造方法＞
以下、吸収性物品１の製造方法を、生理用ナプキンを例として、本発明の吸収性物品の製造方法の実施形態を説明する。図３に示す製造装置１００が使用される。
【０２１９】
機械方向ＭＤへ回転するサクションドラム１２０の周面には、吸収体材料１２２を詰める型として凹部１２４が周方向に所要のピッチで形成されている。サクションドラム１２０が回転して凹部１２４が材料供給部１２１へ進入すると、サクション部１２６が凹部１２４に作用し、材料供給部１２１から供給された吸収体材料１２２は凹部１２４に真空吸引される。材料供給部１２１は、サクションドラム１２０を覆うように形成されており、材料供給部１２１は、吸収体材料１２２を空気搬送により凹部１２４に対して供給し、凹部１２４には吸収体３が形成される。凹部１２４に形成された吸収体３は、機械方向ＭＤに向かって進むキャリアシート１１０上に転写される。
【０２２０】
吸収体３の一面側（バックシート対向面側）からエンボス加工する。エンボス加工装置１３０である、周面に多数の凸状ピンが規則的に植設された（不図示）下段ロール１３２−１と、平滑ロールである上段ロール１３１−１との間を通過することにより、積層体２６２に凹部１０が形成される。エンボス加工の際には、ロールを所定温度に加熱して凹部１０が効果的に形成されるようにしてもよい。
なお、図示はされていないが、キャリアシート１１０は、機械方向（ＭＤ方向）に向かって両側に延びる２本のベルトで、積層体２６２を支持している。すなわち、積層体２６２のキャリアシート１１０側表面（図３において下面）のうち、機械方向（ＭＤ方向）に向かって両側に延びる両側部分（両端部分）は、キャリアシート１１０で支持されているが、機械方向（ＭＤ方向）に向かって延びる中央部分はキャリアシート１１０に支持されておらず、キヤリアシート１１０の２本のベルトの間から露出している。この露出している部分がエンボス加工される。したがって、積層体２６２はキャリアシート１１０上に載置された状態のままエンボス加工装置１３０（上段ロール１３１−１と下段ロール１３２−１）でエンボス加工される。
【０２２１】
ロール２１０から供給されたトップシート２が吸収体３に積層され、積層体２６２が形成される。積層体２６２に対して、エンボス加工を施して、トップシート２及び吸収体３にエンボス部６´を熱圧形成する。このエンボス加工は、例えばエンボス部６´に対応する環状の突条部が周面に形成された凹凸（不図示）ロールと、周面が表面平滑な弾性体からなる受けロールとの間に積層体２６２を挿通して行う。具体的には、エンボス加工装置１３０の上段ロール１３１−２と下段ロール１３２−２との間を通過することにより、積層体２６２にエンボス部６´が形成される。
【０２２２】
次いで、エンボス部６´形成後の積層体２６２におけるエンボス部６´の内側にエンボス加工を施して圧着部９を形成する。このエンボス加工には、周面に多数の凸状ピンが規則的に植設された（不図示）ロールと平滑ロールとの間に積層体２６２を挿通して行う。具体的には、エンボス加工装置１３０の上段ロール１３１−３と下段ロール１３２−３との間を通過することにより、積層体２６２に圧着部９が形成される。
【０２２３】
次いで、バックシートロール１４０から巻きだしたバックシート８に、接着剤塗布機から接着剤を塗布し、バックシート８と、積層体２６２とを積層して、積層体２６３を形成する。次いで、エンボスロール２６１(不図示）にて、積層体２６３を吸収性物品の形状にラウンドエンボスし、そしてカッター１５０を使用して吸収性物品１（生理用ナプキン）の形状に切り出す。
【０２２４】
血液滑性付与剤１１又は血液滑性付与剤含有組成物１１の塗布スプレー１６０を使用して吸収性物品１（生理用ナプキン）の中央の領域に血液滑性付与剤１６１を塗布して、トップシート２の肌側面に血液滑性付与剤層を形成する。以上より、吸収性物品１（生理用ナプキン）を製造することができる。
【０２２５】
血液滑性付与剤層は、トップシート２の排泄物被供給領域のうち、少なくとも排泄口当接域に形成されることが好ましい。
【０２２６】
本発明の吸収性物品の製造方法では、吸収性物品１（生理用ナプキン）を切り出した後に、血液滑性付与剤を塗布したが、切り出す前のいずれの段階で塗布してもよいし、トップシート２の製造工程で塗布してもよい。製造途中で塗布した血液滑性付与剤が流れ落ちることを防止するために、製造工程の川下の段階、例えば、吸収性物品１（生理用ナプキン）を包装する直前に血液滑性付与剤を塗布することが好ましい。
【０２２７】
上記血液滑性付与剤又は血液滑性付与剤含有組成物、あるいはそれを含む塗布液の塗布方法は、特に制限されるものではなく、必要に応じて上記血液滑性付与剤又は血液滑性付与剤含有組成物、あるいはそれを含む塗布液を加熱し、例えば、非接触式のコーター、例えば、スパイラルコーター、カーテンコーター、スプレーコーター、ディップコーター等、接触式のコーター等の塗布装置を用いて、上記血液滑性付与剤又は血液滑性付与剤含有組成物、あるいはそれを含む塗布液を塗布することができる。上記塗布装置としては、液滴状又は粒子状の改質剤が全体に均一に分散される点、及び資材にダメージを与えない観点から、非接触式のコーターが好ましい。
【０２２８】
また、上記血液滑性付与剤又は血液滑性付与剤含有組成物、あるいはそれを含む塗布液は、室温で液体の場合にはそのまま、又は粘度を下げるために加熱され、そして室温で固体の場合には液化するように加熱され、コントロールシームＨＭＡ（Ｈｏｔ  Ｍｅｌｔ  Ａｄｈｅｓｉｖｅ）ガンから塗布されることができる。コントロールシームＨＭＡガンのエアー圧を高くすることにより、微粒子状の血液滑性付与剤又は血液滑性付与剤含有組成物を塗布することができる。なお、血液改質付与剤又は血液滑性付与剤含有組成物の塗布量は、例えば、コントロールシームＨＭＡガンからの塗出量を増減することにより調節することができある。
【０２２９】
血液滑性付与剤又は血液滑性付与剤含有組成物は、所望により、揮発性溶媒、例えば、アルコール系溶媒、エステル系溶媒、芳香族系溶媒を含む塗布液として塗装することができる。上記塗布液が揮発性溶媒を含むことにより、上記血液滑性付与剤又は血液滑性付与剤含有組成物を含む塗布液の粘度が下がるために、塗布が容易になる、塗装時の加温が不要になる等の塗布工程の簡易化が図れる。
【０２３０】
本発明の吸収性物品１の製造方法によれば、エンボス部６´の形成後に、両エンボス部６´の内側に圧着部９を形成することにより、トップシート２に自然に強い張力が掛かり、その状態でトップシート２が吸収体３に固定される。しかも圧着部９においてはトップシートが大きく伸ばされながら吸収体に接合するため、強い接合強度が得られると共に圧着部９以外の部位におけるトップシート２と吸収体３との密着性も一層向上する。
【０２３１】
以上、本発明の吸収性物品の製造方法の１つの実施形態に基づき説明したが、本発明はその実施形態に制限されるものではない。例えばその実施形態においてはトップシート２として、肌側面及び着衣側面ともに平坦なシートを用いるが、肌側面に多数の凸部を有するものを用いてもよい。
【０２３２】
また、本発明の吸収性物品の製造方法の実施形態においては、エンボス部６´の形成前に、圧着部９を形成し、その後にエンボス部６´を形成してもよい。
【実施例】
【０２３３】
以下、例を挙げて本発明を説明するが、本発明はこれらの例に限定されるものではない。
［試験例１］
［リウェット率及び吸収体移行速度の評価］
図１に示されるような形状を有する市販の生理用ナプキン（血液滑性付与剤は塗布されていない）を準備した。当該生理用ナプキンは、親水剤で処理されたエアスルー不織布（ポリエステル及びポリエチレンテレフタレートから成る複合繊維、坪量：３５ｇ／ｍ2）から形成されたトップシートと、エアスルー不織布（ポリエステル及びポリエチレンテレフタレートから成る複合繊維、坪量：３０ｇ／ｍ2）から形成されたセカンドシートと、パルプ（坪量：１５０〜４５０ｇ／ｍ2、中央部ほど多い）、アクリル系高吸収ポリマー（坪量：１５ｇ／ｍ2）及びコアラップとしてのティッシュを含む吸収体と、撥水剤処理されたサイドシートと、ポリエチレンフィルムから成るバックシートとから形成されていた。
【０２３４】
以下に、実験に用いられた血液滑性付与剤を列挙する。
［（ａ1）鎖状炭化水素テトラオールと少なくとも１の脂肪酸とのエステル］
・ユニスター  Ｈ−４０８ＢＲＳ，日油株式会社製
テトラ２−エチルヘキサン酸ペンタエリトリトール，重量平均分子量：約６４０
・ユニスター  Ｈ−２４０８ＢＲＳ−２２，日油株式会社製
テトラ２−エチルヘキサン酸ペンタエリトリトールと、ジ２−エチルヘキサン酸ネオペンチルグリコールとの混合物（５８：４２、重量比），重量平均分子量：約５２０
【０２３５】
［（ａ2）鎖状炭化水素トリオールと少なくとも１の脂肪酸とのエステル］
・Ｃｅｔｉｏｌ  ＳＢ４５ＤＥＯ，コグニスジャパン株式会社製
脂肪酸が、オレイン酸又はステアリル酸である、グリセリンと脂肪酸とのトリエステル
・ＳＯＹ４２，日油株式会社製
Ｃ14の脂肪酸：Ｃ16の脂肪酸：Ｃ18の脂肪酸：Ｃ20の脂肪酸（飽和脂肪酸及び不飽和脂肪酸の両方を含む）がおおよそ０．２：１１：８８：０．８の質量比で含まれている、グリセリンと脂肪酸とのトリエステル，重量平均分子量：８８０
【０２３６】
・トリＣ２Ｌ油脂肪酸グリセリド，日油株式会社製
Ｃ8の脂肪酸：Ｃ10の脂肪酸：Ｃ12の脂肪酸がおおよそ３７：７：５６の重量比で含まれている、グリセリンと脂肪酸とのトリエステル，重量平均分子量：約５７０
・トリＣＬ油脂肪酸グリセリド，日油株式会社製
Ｃ8の脂肪酸：Ｃ12の脂肪酸がおおよそ４４：５６の重量比で含まれている、グリセリンと脂肪酸とのトリエステル，重量平均分子量：約５７０
【０２３７】
・パナセート８１０ｓ，日油株式会社製
Ｃ8の脂肪酸：Ｃ10の脂肪酸がおおよそ８５：１５の重量比で含まれている、グリセリンと脂肪酸とのトリエステル，重量平均分子量：約４８０
・パナセート８００，日油株式会社製
脂肪酸が全てオクタン酸（Ｃ8）である、グリセリンと脂肪酸とのトリエステル，重量平均分子量：約４７０
【０２３８】
・パナセート８００Ｂ，日油株式会社製
脂肪酸が全て２−エチルヘキサン酸（Ｃ8）である、グリセリンと脂肪酸とのトリエステル，重量平均分子量：約４７０
・ＮＡ３６，日油株式会社製
Ｃ16の脂肪酸：Ｃ18の脂肪酸：Ｃ20の脂肪酸（飽和脂肪酸及び不飽和脂肪酸の両方を含む）がおおよそ５：９２：３の重量比で含まれている、グリセリンと脂肪酸とのトリエステル，重量平均分子量：約８８０
【０２３９】
・トリヤシ油脂肪酸グリセリド，日油株式会社製
Ｃ8の脂肪酸：Ｃ10の脂肪酸：Ｃ12の脂肪酸：Ｃ14の脂肪酸：Ｃ16の脂肪酸（飽和脂肪酸及び不飽和脂肪酸の両方を含む）がおおよそ４：８：６０：２５：３の重量比で含まれている、グリセリンと脂肪酸とのトリエステル，重量平均分子量：６７０
・カプリル酸ジグリセリド，日油株式会社製
脂肪酸がオクタン酸である、グリセリンと脂肪酸とのジエステル，重量平均分子量：３４０
【０２４０】
［（ａ3）鎖状炭化水素ジオールと少なくとも１の脂肪酸とのエステル］
・ユニスター  Ｈ−２０８ＢＲＳ，日油株式会社製
ジ２−エチルヘキサン酸ネオペンチルグリコール，重量平均分子量：約３６０
・コムポールＢＬ，日油株式会社製
ブチレングリコールのドデカン酸（Ｃ12）モノエステル，重量平均分子量：約２７０
・コムポールＢＳ，日油株式会社製
ブチレングリコールのオクタデカン酸（Ｃ18）モノエステル，重量平均分子量：約３５０
【０２４１】
［（ｃ2）３個のカルボキシル基を有する鎖状炭化水素トリカルボン酸、ヒドロキシ酸、アルコキシ酸又はオキソ酸と、少なくとも１の脂肪族１価アルコールとのエステル］
・Ｏ−アセチルクエン酸トリブチル，東京化成工業株式会社製
重量平均分子量：約４００
・クエン酸トリブチル，東京化成工業株式会社製
重量平均分子量：約３６０
【０２４２】
［（ｃ3）２個のカルボキシル基を有する鎖状炭化水素ジカルボン酸、ヒドロキシ酸、アルコキシ酸又はオキソ酸と、少なくとも１の脂肪族１価アルコールとのエステル］
・アジピン酸ジオクチル，和光純薬工業製
重量平均分子量：約３８０
【０２４３】
［（ｄ3）脂肪酸と脂肪族１価アルコールとのエステル］
・エレクトールＷＥ２０，日油株式会社製
ドデカン酸（Ｃ12）と、ドデシルアルコール（Ｃ12）とのエステル，重量平均分子量：約３６０
・エレクトールＷＥ４０，日油株式会社製
テトラデカン酸（Ｃ14）と、ドデシルアルコール（Ｃ12）とのエステル，重量平均分子量：約３９０
【０２４４】
［（ｅ1）ポリオキシＣ3〜Ｃ6アルキレングリコール］
・ユニオールＰＢ５００，日油株式会社製
ポリブチレングリコール，重量平均分子量：約５００
・ユニオールＰＢ７００，日油株式会社製
ポリオキシブチレンポリオキシプロピレングリコール，重量平均分子量：約７００
【０２４５】
［（ｆ1）鎖状アルカン］
・パールリーム６，日油株式会社製
流動イソパラフィン、イソブテン及びｎ-ブテンを共重合し、次いで水素を付加することにより生成された分岐鎖炭化水素、重合度：約５〜約１０，重量平均分子量：約３３０
【０２４６】
［その他の材料］
・ＮＡ５０，日油株式会社製
ＮＡ３６に水素を付加し、原料である不飽和脂肪酸に由来する二重結合の比率を下げたグリセリンと脂肪酸とのトリエステル，重量平均分子量：約８８０
・（カプリル酸／カプリン酸）モノグリセリド，日油株式会社製
オクタン酸（Ｃ8）及びデカン酸（Ｃ10）がおおよそ８５：１５の重量比で含まれている、グリセリンと脂肪酸とのモノエステル，重量平均分子量：約２２０
・Ｍｏｎｏｍｕｌｓ  ９０−Ｌ２ラウリン酸モノグリセリド，コグニスジャパン株式会社製
【０２４７】
・クエン酸イソプロピル，東京化成工業株式会社製
重量平均分子量：約２３０
・リンゴ酸ジイソステアリル
重量平均分子量：約６４０
・ユニオールＰＢ１０００Ｒ，日油株式会社製
ポリブチレングリコール，重量平均分子量：約１，０００
・ユニオールＤ−２５０，日油株式会社製
ポリプロピレングリコール，重量平均分子量：約２５０
【０２４８】
・ユニオールＤ−４００，日油株式会社製
ポリプロピレングリコール，重量平均分子量：約４００
・ユニオールＤ−７００，日油株式会社製
ポリプロピレングリコール，重量平均分子量：約７００
・ユニオールＤ−１０００，日油株式会社製
ポリプロピレングリコール，重量平均分子量：約１，０００
・ユニオールＤ−１２００，日油株式会社製
ポリプロピレングリコール，重量平均分子量：約１，１６０
【０２４９】
・ユニオールＤ−２０００，日油株式会社製
ポリプロピレングリコール，重量平均分子量：約２，０３０
・ユニオールＤ−３０００，日油株式会社製
ポリプロピレングリコール，重量平均分子量：約３，０００
・ユニオールＤ−４０００，日油株式会社製
ポリプロピレングリコール，重量平均分子量：約４，０００
【０２５０】
・ＰＥＧ１５００，日油株式会社製
ポリエチレングリコール，重量平均分子量：約１，５００〜約１，６００
・ウィルブライトｃｐ９，日油株式会社製
ポリブチレングリコールの両末端のＯＨ基が、ヘキサデカン酸（Ｃ16）によりエステル化された化合物，重量平均分子量：約１，１５０
・ユニルーブＭＳ−７０Ｋ，日油株式会社製
ポリプロピレングリコールのステアリルエーテル，約１５の繰返し単位，重量平均分子量：約１，１４０
【０２５１】
・ノニオンＳ−６，日油株式会社製
ポリオキシエチレンモノステアレート、約７の繰返し単位、重量平均分子量：約８８０
・ユニルーブ５ＴＰ−３００ＫＢ
ペンタエリトリトール１モルに、エチレンオキシド５モルと、プロピレンオキシド６５モルとを付加させることにより生成した、ポリオキシエチレンポリオキシプロピレンペンタエリスリトールエーテル，重量平均分子量：４，１３０
【０２５２】
・ウィルブライトｓ７５３，日油株式会社製
ポリオキシエチレンポリオキシプロピレンポリオキシブチレングリセリン，重量平均分子量：約９６０
・ユニオール  ＴＧ−３３０，日油株式会社製
ポリプロピレングリコールのグリセリルエーテル，約６の繰返し単位，重量平均分子量：約３３０
【０２５３】
・ユニオール  ＴＧ−１０００，日油株式会社製
ポリプロピレングリコールのグリセリルエーテル，約１６の繰返し単位，重量平均分子量：約１，０００
・ユニオール  ＴＧ−３０００，日油株式会社製
ポリプロピレングリコールのグリセリルエーテル，約１６の繰返し単位，重量平均分子量：約３，０００
・ユニオール  ＴＧ−４０００，日油株式会社製
ポリプロピレングリコールのグリセリルエーテル，約１６の繰返し単位，重量平均分子量：約４，０００
【０２５４】
・ユニルーブ  ＤＧＰ−７００，日油株式会社製
ポリプロピレングリコールのジグリセリルエーテル，約９の繰返し単位，重量平均分子量：約７００
・ユニオックスＨＣ６０，日油株式会社製
ポリオキシエチレン硬化ヒマシ油，重量平均分子量：約３，５７０
・ワセリン，コグニスジャパン株式会社製
石油に由来する炭化水素、半固形
上記試料の、動粘度、抱水率、重量平均分子量、ＩＯＢ及び融点を、下記表２に示す。
また、融点に関し、「＜４５」は、融点が４５℃未満であることを意味する。
【０２５５】
上記生理用ナプキンのトップシートの肌当接面のほぼ全体に、上述の血液滑性付与剤を塗布した。各血液滑性付与剤を、血液滑性付与剤が室温で液体である場合にはそのまま、そして血液滑性付与剤が室温で固体である場合には、融点＋２０℃の温度まで加熱し、次いで、コントロールシームＨＭＡガンを用いて、各血液滑性付与剤を微粒化し、トップシートの肌当接面に、坪量がおおよそ５ｇ／ｍ2となるように塗布した。
【０２５６】
図７は、トップシートがトリＣ２Ｌ油脂肪酸グリセリドを含む生理用ナプキン（Ｎｏ．１−５）における、トップシートの肌当接面の電子顕微鏡写真である。図４から明らかなように、トリＣ２Ｌ油脂肪酸グリセリドは、微粒子状で、繊維の表面に存在している。
【０２５７】
［試験方法］
各血液滑性付与剤を含むトップシートの上に、穴の開いたアクリル板（２００ｍｍ×１００ｍｍ，１２５ｇ，中央に、４０ｍｍ×１０ｍｍの穴が開いている）を置き、上記穴から、３７±１℃のウマＥＤＴＡ血（ウマの血液に、凝結防止のため、エチレンジアミン四酢酸（以下、「ＥＤＴＡ」と称する）が添加されたもの）３ｇを、ピペットを用いて滴下（１回目）し、１分後、３７±１℃のウマＥＤＴＡ血３ｇを、アクリル板の穴から、ピペットで再度滴下した（２回目）。
【０２５８】
２回目の血液の滴下後、直ちに上記アクリル板を外し、血液を滴下した場所に、ろ紙（アドバンテック東洋株式会社  定性濾紙  Ｎｏ．２，５０ｍｍ×３５ｍｍ）１０枚を置き、その上から、圧力が３０ｇ／ｃｍ2となるようにおもりを置いた。１分後、上記ろ紙を取出し、以下の式に従って、「リウェット率」を算出した。
リウェット率（％）＝１００×（試験後のろ紙質量−当初のろ紙質量）／６
【０２５９】
また、リウェット率の評価とは別に、２回目の血液の滴下後、血液がトップシートから吸収体に移行する時間である「吸収体移行速度」を測定した。上記吸収体移行速度は、トップシートに血液を投入してから、トップシートの表面及び内部に、血液の赤さが見られなくなるまでの時間を意味する。
リウェット率と、吸収体移行速度の結果を、下記表２に示す。
【０２６０】
また、吸収体移行速度の試験後のトップシート（ＴＳ）の肌当接面の白さを、以下の基準に従って、目視で評価した。
◎：血液の赤さがほとんど残っておらず、血液が存在した場所と、存在していない場所の区別がつかない
○：血液の赤さが若干残っているが、血液の存在した場所と、存在していない場所の区別がつきいにくい
△：血液の赤さが若干残っており、血液が存在した場所が分かる
×：血液の赤さがそのまま残っている
【０２６１】
さらに、トップシートの肌当接面のタック性を、以下の基準に従って３５℃で測定した。
○：タック性なし
△：若干のタック性有り
×：タック性有り
結果を、併せて下記表２に示す。
【０２６２】
【表２−１】
2014068958.tif 000013
【０２６３】
【表２−２】
2014068958.tif 000014
【０２６４】
血液滑性付与剤を有しない場合には、リウェット率は２２．７％であり、そして吸収体移行速度は６０秒超であったが、グリセリンと脂肪酸とのトリエステルは、いずれも、リウェット率が７．０％以下であり、そして吸収体移行速度が８秒以下であることから、吸収性能が大幅に改善されていることが分かる。
【０２６５】
同様に、４０℃における約０．０１〜８０ｍｍ2／ｓの動粘度と、約０．０１〜約４．０質量％の抱水率と、約１，０００未満の重量平均分子量とを有する血液滑性付与剤では、吸収性能が大きく改善されることが分かった。
【０２６６】
次に、Ｎｏ．１−１〜１−５１の生理用ナプキンを、複数のボランティアの被験者に着用してもらったところ、Ｎｏ．１−１〜１−２３の血液滑性付与剤を含む生理用ナプキンでは、経血を吸収した後であってもトップシートにべたつき感がなく、トップシートがサラサラしているとの回答を得た。
また、Ｎｏ．１−１１，１３，１６，１８〜２０及び２３の血液滑性付与剤を含む生理用ナプキンでは、経血を吸収後のトップシートの肌当接面が、血液で赤く染まっておらず、不快感が少ないとの回答を得た。
【０２６７】
また、図１に示されるような形状を有する市販の生理用ナプキン（血液滑性付与剤は塗布されていない）から、トップシートを取り外し、その着衣側面に、図１に示されるような範囲で、上述の血液滑性付与剤を塗布した。血液滑性付与剤は、血液滑性付与剤含有領域が血液滑性付与剤を約５ｇ／ｍ2の坪量で有するように、コントロールシームＨＭＡガンを用いて、必要に応じて融点＋２０℃の温度まで加熱して塗装された。血液滑性付与剤が塗布されたトップシートを目視で確認したところ、着衣側面（塗布面）の血液滑性付与剤の坪量が、肌側面（非塗布面）の血液滑性付与剤の坪量よりも多かった。
【０２６８】
次いで、トップシートを、吸収体と再接着して、生理用ナプキンＮｏ．１’−１（Ｈ−４０８ＢＲＳ）〜Ｎｏ．１’−２３（パールリーム６）を準備した。
生理用ナプキンＮｏ．１’−１（Ｈ−４０８ＢＲＳ）〜Ｎｏ．１’−２３（パールリーム６）を準備した。なお、生理用ナプキンＮｏ．１’−１と、Ｎｏ．１−１とは、血液滑性付与剤がＨ−４０８ＢＲＳである点では同一であるが、血液滑性付与剤の、吸収性物品の厚さ方向の分布が異なる。その他の生理用ナプキンも同様である。
【０２６９】
製造されたＮｏ．１'−１〜１'−２３の生理用ナプキンを、複数のボランティアの被験者に着用してもらったところ、Ｎｏ．１'−１〜１'−２３の生理用ナプキンは、Ｎｏ．１−１〜１−２３と概ね同等の性能を有し、経血を吸収した後、排泄口当接域において、経血が速やかに吸収体に吸収されたとの回答を得た。
【０２７０】
上記同等の性能は、着用者の日常活動により、生理用ナプキンに加えられた圧力により、トップシートの着衣側面の血液滑性付与剤が、肌側面に移動したことが要因の１つと考えられる。
【０２７１】
［試験例２］
［畝溝構造を有するトップシートにおける経血の表面残存率］
畝溝構造を有するトップシートにおける経血の表面残存率を評価した。
親水剤で処理されたエアスルー不織布（ポリエステル及びポリエチレンテレフタレートから成る複合繊維、坪量：３５ｇ／ｍ2）から形成されたトップシートと、エアスルー不織布（ポリエステル及びポリエチレンテレフタレートから成る複合繊維、坪量：３０ｇ／ｍ2）から形成されたセカンドシートと、パルプ（坪量：１５０〜４５０ｇ／ｍ2、中央部ほど多い）、アクリル系高吸収ポリマー（坪量：１５ｇ／ｍ2）及びコアラップとしてのティッシュを含む吸収体と、撥水剤処理されたサイドシートと、ポリエチレンフィルムから成るバックシートとを準備した。
【０２７２】
上記トップシートは、特開２００８−２０３４号に記載の方法に従って製造された、畝溝構造を有するトップシートであり、畝部の厚さが約１．５ｍｍであり、溝部の厚さが約０．４ｍｍであり、畝溝構造のピッチ（畝部の幅＋溝部の幅）が約４ｍｍであり、そして溝部には、開孔率約１５％の開孔部が形成されていた。
【０２７３】
血液滑性付与剤として、ユニスター  Ｈ−４０８ＢＲＳ（日油株式会社製、ペンタエリトリトールと脂肪酸とのテトラエステル）を選択し、室温において、コントロールシームＨＭＡガンから、上記トップシートの肌当接面（畝溝面）に、５．０ｇ／ｍ2の坪量で塗布した。電子顕微鏡で確認したところ、Ｈ−４０８ＢＲＳは、微粒子状で、繊維の表面に付着していた。
次いで、バックシート、吸収体、セカンドシート、そして畝溝面を上にしてトップシートを順に重ね合わせることにより、生理用ナプキンＮｏ．２−１を形成した。
【０２７４】
血液滑性付与剤を、ユニスター  Ｈ−４０８ＢＲＳから、下記表３に示されるものに変更して、生理用ナプキンＮｏ．２−２〜Ｎｏ．２−４０を製造した。なお、血液滑性付与剤が室温で液体である場合には、そのまま、そして血液滑性付与剤が室温で固体である場合には、融点＋２０℃の温度まで加熱し、次いで、コントロールシームＨＭＡガンを用いて、血液滑性付与剤を微粒化し、トップシートの肌当接面に、坪量がおおよそ５ｇ／ｍ2となるように塗布した。
また、血液滑性付与剤は、トップシートの肌当接面のほぼ全面に、そして畝部及び溝部の両方に塗布された。
【０２７５】
［試験方法］
トップシートの質量Ｗ2（ｇ）（試験前のトップシートの質量）を測定した後、吸収性物品の長手方向及び幅方向の中央部且つトップシートの上に、穴の開いたアクリル板（２００ｍｍ×１００ｍｍ，１２５ｇ，中央に、４０ｍｍ×１０ｍｍの穴が開いている）を置き、上記穴から、３７±１℃のウマＥＤＴＡ血（ウマの血液に、凝結防止のため、エチレンジアミン四酢酸（以下、「ＥＤＴＡ」と称する）が添加されたもの）４．０ｇを、ピペットを用いて滴下した。
【０２７６】
ウマＥＤＴＡ血の滴下後、直ちに上記アクリル板を外し、トップシートを取出し、その質量Ｗ3（ｇ）（試験後のトップシートの質量）を測定し、以下の式に従って、「表面残存率（質量％）」を算出した。
表面残存率Ａ（質量％）
＝１００×［Ｗ3（ｇ）−Ｗ2（ｇ）］／４．０（ｇ）
結果を、下記表３に示す。
【０２７７】
【表３−１】
2014068958.tif 000015
【０２７８】
【表３−２】
2014068958.tif 000016
【０２７９】
血液滑性付与剤を有しない生理用ナプキンＮｏ．２−４０では、表面残存率が７．５質量％であったが、動粘度及び抱水率が所定の範囲内にある生理用ナプキンＮｏ．２−１〜Ｎｏ．２−１６では、表面残存率が２．５質量％以下であった。
【０２８０】
生理用ナプキンＮｏ．２−１〜Ｎｏ．２−１６では、トップシートの畝部に滴下されたウマＥＤＴＡ血が、畝部から溝部へと滑落し、溝部から吸収体内部に迅速に吸収される様子が観察された。一方、血液滑性付与剤を有しない生理用ナプキンＮｏ.２−４０では、滴下したウマＥＤＴＡ血は、溝部に滑落するのではなく、溝部にゆっくりと垂れ落ち、その多くがトップシートの畝部に残存した。また、抱水率が高い吸収性物品、例えば、Ｎｏ.２−２５では、トップシートの畝部に滴下されたウマＥＤＴＡ血は、溝部に滑落するのではなく、トップシートに一部残存しながらゆっくりと垂れ落ち、そして一部が畝部に残存した。
血液滑性付与剤の作用を確認するために、さらに以下の実験を行った。
【０２８１】
［試験例３］
［血液滑性付与剤を含む血液の粘性］
血液滑性付与剤を含む血液の粘性を、Ｒｈｅｏｍｅｔｒｉｃ  Ｅｘｐａｎｓｉｏｎ  Ｓｙｓｔｅｍ  ＡＲＥＳ（Ｒｈｅｏｍｅｔｒｉｃ  Ｓｃｉｅｎｔｉｆｉｃ，Ｉｎｃ）を用いて測定した。ウマ脱繊維血に、パナセート８１０ｓを２質量％添加し、軽く撹拌して試料を形成し、直径５０ｍｍのパラレルプレートに試料を載せ、ギャップを１００μｍとし、３７±０．５℃で粘度を測定した。パラレルプレートゆえ、試料に均一なせん断速度はかかっていないが、機器に表示された平均せん断速度は、１０ｓ-1であった。
【０２８２】
パナセート８１０ｓを２質量％含むウマ脱繊維血の粘度は、５．９ｍＰａ・ｓであり、一方、血液滑性付与剤を含まないウマ脱繊維血の粘度は、５０．４ｍＰａ・ｓであった。従って、パナセート８１０ｓを２質量％含むウマ脱繊維血は、血液滑性付与剤を含まない場合と比較して、約９０％粘度を下げることが分かる。
【０２８３】
血液は、血球等の成分を含み、チキソトロピーの性質を有することが知られているが、本発明の血液滑性付与剤は、低粘度域で、経血等の血液の粘度を下げる作用をも有すると考えられる。血液の粘度を下げることにより、吸収した経血を、トップシートから吸収体に速やかに移行しやすくなると考えられる。
【０２８４】
［試験例４］
［血液滑性付与剤を含む血液の顕微鏡写真］
健常ボランティアの経血を、食品保護用ラップフィルム上に採取し、その一部に、１０倍の質量のリン酸緩衝生理食塩水中に分散されたパナセート８１０ｓを、パナセート８１０ｓの濃度が１質量％となるように添加した。経血を、スライドグラスに適下し、カバーグラスをかけ、光学顕微鏡にて、赤血球の状態を観察した。血液滑性付与剤を含まない経血の顕微鏡写真を図５（ａ）に、そしてパナセート８１０ｓを含む経血の顕微鏡写真を図５（ｂ）に示す。
【０２８５】
図５から、血液滑性付与剤を含まない経血では、赤血球が連銭等の集合塊を形成しているが、パナセート８１０ｓを含む経血では、赤血球が、それぞれ、安定に分散していることが分かる。従って、血液滑性付与剤は、血液の中で、赤血球を安定化させる働きをも有することが示唆される。
【０２８６】
［試験例５］
［血液滑性付与剤を含む血液の表面張力］
血液滑性付与剤を含む血液の表面張力を、協和界面科学社製接触角計  Ｄｒｏｐ  Ｍａｓｔｅｒ５００を用い、ペンダントドロップ法にて測定した。表面張力は、ヒツジ脱繊維血に、所定の量の血液滑性付与剤を添加し、十分振とうした後に測定した。
測定は、機器が自動で行うが、表面張力γは、以下の式により求められる（図６を参照）。
【０２８７】
γ＝ｇ×ρ×（ｄｅ）2×１／Ｈ
ｇ：重力定数
１／Ｈ：ｄｓ／ｄｅから求められる補正項
ρ：密度
ｄｅ：最大直径
ｄｓ：滴下端よりｄｅだけ上がった位置での径
【０２８８】
密度ρは、ＪＩＳ  Ｋ  ２２４９−１９９５の「密度試験方法及び密度・質量・容量換算表」の５．振動式密度試験方法に準拠し、下記表４に示される温度で測定した。
測定には、京都電子工業株式会社のＤＡ−５０５を用いた。
結果を、下記表４に示す。
【０２８９】
【表４】
2014068958.tif 000017
【０２９０】
表４から、血液滑性付与剤は、血液の表面張力を下げる作用をも有することが分かる。
血液の表面張力を下げることにより、吸収した血液をトップシートの繊維間に保持せず、速やかに吸収体に移行させることができると考えられる。
【０２９１】
[試験例６]
（１）吸収性物品サンプル１〜３の作製
サンプル１を製造するために図３に示す装置を使用した。サンプル１を製造するために、トップシートに吸収体を積層し、次いでその積層体にバックシートを積層し、最後に、トップシートの肌当接面（トップシートの肌側面）に血液滑性付与剤（トリグリセリド）を塗工し、吸収性物品であるサンプル１を製造した。サンプル１における血液滑性付与剤の塗工目付は、４ｇ／ｍ2とした。更に詳細な製造方法は上述のとおりである。サンプル２は、血液滑性付与剤塗布工程を経ないこと以外はサンプル１と同様な製造方法でを製造した。サンプル３は、下段ロール１３２−１と上段ロール１３１−１とによるエンボス加工工程と、下段ロール１３２−２と上段ロール１３１−２とによるエンボス加工工程とを経ないこと以外はサンプル１と同様な製造方法で製造した。
【０２９２】
（２）トップシート拡散長及び吸収体拡散長の測定
<試験方法>
各サンプルの肌当接面上に、３７±１℃のウマＥＤＴＡ血（ウマの血液に、凝結防止のため、エチレンジアミン四酢酸（ＥＤＴＡ）が添加されたもの）４ｍＬを、ピペットを用いて３秒で滴下した（８０ｍｌ／ｍｉｎ）。その操作を３回繰り返して、トップシート拡散長及び吸収体拡散長のそれぞれの３回の測定値（ｎ＝３）を平均して、トップシート拡散長及び吸収体拡散長のそれぞれの値を得た。
【０２９３】
<結果>
サンプル１〜３のトップシート拡散長及び吸収体拡散長の結果を表５に示す。表５に示されるように、サンプル１及び２は、サンプル３より、圧着部の効果でトップシートの縦方向の拡散長が大きかった。サンプル１及び２は、サンプル３より、圧着部と吸収体の凹部との効果で吸収体の縦方向及び横方向の拡散長が共に大きかった。
【０２９４】
【表５】
2014068958.tif 000018
【符号の説明】
【０２９５】
１    生理用ナプキン（吸収性物品）
２    トップシート
３    吸収体
３ａ    密な部分
３ｂ    疎な部分
４    サイドフラップ
５    サイドシート
６    エンボス部
６´    エンボス部
７    血液滑性付与剤含有領域
８    バックシート
９    圧着部
１０    凹部
１１    血液滑性付与剤又は血液滑性付与剤含有組成物
【図１】
2014068958.tif 000019
【図２】
2014068958.tif 000020
【図３】
2014068958.tif 000021
【図６】
2014068958.tif 000022
【図４】
2014068958.tif 000023
【図５】
2014068958.tif 000024
【図７】
2014068958.tif 000025